(57)【要約】　　　（修正有） 【課題】  大量燃料燃焼炉および大量の燃料を燃焼するための、経済的かつ効率的な燃焼システムを提供する。 【解決手段】　独立気体供給、独立気体パルス、独立制御可能振動システムおよび最適な燃焼のパラメーターのホストを調整し得る全体制御システムを含む設計を備える。１つの設計としては、重複火格子エレメント５０（これを介して燃焼気体が導入され得る）、およびパルス混合気体ならびに分離温度制御気体を導入するための装置を備え得る。効率的なポペットの設計４４により撹拌気体導入を最適化する。【選択図】　図１
2004093113.tif 000002
【特許請求の範囲】
【請求項１】
大量燃料燃焼炉であって、以下：
　ａ．大量燃料供給エレメント；
　ｂ．該大量燃料供給エレメントから大量の燃料を受容するように位置付けされる、燃焼チャンバー；
　ｃ．該燃焼チャンバー内にあり、そして入口端、出口端、および大量の燃料が横切って運搬される該入口端と該出口端との間に長さを設置する、複数の重複火格子エレメント；
　ｄ．該燃焼チャンバー内にある、燃焼気体供給；
　ｅ．重複セグメントの各対の間に空間を形成している該複数の重複火格子エレメントの複数の重複セグメントであって、ここで該燃焼気体供給が、該複数の空間を通じて燃焼気体を導入するために位置付けされる、セグメント；
　ｆ．該燃焼チャンバー内にある第２の気体供給；
　ｇ．第２の気体を、該第２の気体供給から、重複火格子エレメントの該長さを横切って運搬される該大量の燃料に導入するための、該複数の重複火格子エレメント内にある複数のアパーチャ；および　
　ｈ．該複数の重複固定火格子エレメントの該出口端の付近に位置する、灰排出システム、
を備える、大量燃料燃焼炉。
【請求項２】
前記燃焼気体が燃焼空気を含む、請求項１に記載の大量燃料燃焼炉。
【請求項３】
前記複数の重複火格子エレメントが実質的に障害とならない平面表面を形成する、請求項１に記載の大量燃料燃焼炉。
【請求項４】
前記複数の重複火格子エレメントの各々が実質的に平面の重複火格子エレメントを備える、請求項３に記載の大量燃料燃焼炉。
【請求項５】
再循環燃焼気体供給を前記燃焼チャンバー内にさらに備える、請求項１に記載の大量燃料燃焼炉。
【請求項６】
前記複数の重複火格子エレメントが、該複数の重複火格子エレメントの少なくとも２つの間にインターロックシステムをさらに備える、請求項４に記載の大量燃料燃焼炉。
【請求項７】
前記インターロックシステムが、平面制限エレメントを含む、請求項６に記載の大量燃料燃焼炉。
【請求項８】
前記インターロックシステムが、前記複数の重複火格子エレメントの各々において供給を備える、請求項６に記載の大量燃料燃焼炉。
【請求項９】
請求項６に記載の大量燃料燃焼炉であって、そして複数の重複火格子エレメントの少なくとも１つに対して必須の複数の一体型リブをさらに備える、大量燃料燃焼炉。
【請求項１０】
請求項１に記載の大量燃料燃焼炉であって、そして重複セグメントの各対の間の前記空間を設置する重複スペーサーをさらに備える、大量燃料燃焼炉。
【請求項１１】
請求項１０に記載の大量燃料燃焼炉であって、ここで重複セグメントの各対の間に前記空間を設置する前記重複スペーサーが、前記複数の重複火格子エレメントの少なくとも１つに対して必須のインテグラルスペーサーを備える、大量燃料燃焼炉。
【請求項１２】
請求項２に記載の大量燃料燃焼炉であって、そして前記複数の重複火格子エレメントの下に位置している燃焼空気プレナムをさらに備え、該燃焼空気プレナムが前記燃焼空気を含む、大量燃料燃焼炉。
【請求項１３】
請求項２に記載の大量燃料燃焼炉であって、そして前記燃焼空気が応答性である気体パルスシステムをさらに備える、大量燃料燃焼炉。
【請求項１４】
前記燃焼チャンバー内に燃焼後気体供給をさらに備える、請求項１に記載の大量燃料燃焼炉
【請求項１５】
前記再循環燃焼気体供給が、前記燃焼チャンバー内に燃焼後気体供給を備える、請求項５に記載の大量燃料燃焼炉。
【請求項１６】
請求項１に記載の大量燃料燃焼炉であって、そして、少なくとも１つの前記重複火格子エレメントに隣接し、そして前記第２の気体供給に対して応答性である、第２の気体プレナムをさらに備える、大量燃料燃焼炉。
【請求項１７】
請求項１６に記載の大量燃料燃焼炉であって、そして前記第２の気体が応答性である第２の気体パルスシステムをさらに備える、大量燃料燃焼炉。
【請求項１８】
請求項１７に記載の大量燃料燃焼炉であって、ここで前記第２の気体パルスシステムが、前記第２の気体プレナムが応答性である少なくとも１つのポペットエレメントを備える、大量燃料燃焼炉。
【請求項１９】
請求項１８に記載の大量燃料燃焼炉であって、ここで前記第２の気体プレナムが応答性である前記ポペットエレメントは、以下：
　ａ．末端開口部を有する気体ハウジング；
　ｂ．該気体ハウジングの該末端開口部に隣接して位置付けされる制御可能キャップ；および
　ｃ．該気体ハウジングの該末端開口部と該制御可能キャップとの間に位置付けされるシール、
を備える、大量燃料燃焼炉。
【請求項２０】
前記燃焼気体供給が、前記第２の気体パルスシステムから独立している、請求項１８に記載の大量燃料燃焼炉。
【請求項２１】
請求項１に記載の大量燃料燃焼炉であって、そして少なくともいくつかの前記複数の重複火格子エレメントが応答性である振動エレメントをさらに備える、大量燃料燃焼炉。
【請求項２２】
請求項２１に記載の大量燃料燃焼炉であって、ここで前記複数の火格子エレメントが、前記振動エレメントに対して各々個々に応答性であり、そして独立して制御可能である複数の振動火格子帯を備える、大量燃料燃焼炉。
【請求項２３】
請求項１に記載の大量燃料燃焼炉であって、そして燃焼制御システムをさらに備える、大量燃料燃焼炉。
【請求項２４】
請求項１４に記載の大量燃料燃焼炉であって、そして燃焼制御システムをさらに備える、大量燃料燃焼炉。
【請求項２５】
前記燃焼チャンバー内の状態に対して応答性である少なくとも１つの温度センサーをさらに備え、該温度センサーに対して前記燃焼制御システムが応答性である、請求項２３または２４に記載の大量燃料燃焼炉。
【請求項２６】
請求項２５に記載の大量燃料燃焼炉であって、ここで前記少なくとも１つの温度センサーが前記燃焼チャンバー内の状態に対して応答性であり、かつ前記燃焼制御システムが、該温度センサーに対して応答性である、以下を含む大量燃料燃焼炉：
　ａ．  該燃焼チャンバー状態に対して応答性である第１の温度センサーであって、かつ該燃焼制御システムが、該温度センサーに対して応答性である、第１の温度センサー；および
　ｂ．該燃焼チャンバー内の状態に対して応答性である第２の温度センサーであって、かつ該燃焼制御システムがまた、該第２の温度センサーに対して応答性である、第２の温度センサー。
【請求項２７】
請求項２６に記載の大量燃料燃焼炉であって、ここで前記第１の温度センサーは前記燃焼チャンバー内の状態に対して応答性であり、かつ前記燃焼制御システムは、該第１の温度センサーに対して応答性であり、該第１の温度センサーは燃焼温度センサーを備え、そしてここで前記第２の温度センサーは、該燃焼チャンバー内の状態に対して応答性であり、かつ該燃焼制御システムはまた、該第２の温度センサー対して応答性であり、該第２の温度センサーは、燃焼後温度センサーを備える、大量燃料燃焼炉。
【請求項２８】
請求項２３または２４に記載の大量燃料燃焼炉であって、ここで前記燃焼制御システムは、燃焼パラメーター調整システムを備える、大量燃料燃焼炉。
【請求項２９】
請求項２３または２４に記載の大量燃料燃焼炉であって、ここで前記燃焼制御システムが以下からなる群より選択されるシステムに対して応答性を有する、大量燃料燃焼炉：前記大量燃料供給エレメント、前記燃焼気体供給、前記第２の気体供給、前記燃焼後気体供給、前記灰排出システム、チャンバー冷却システム、チャンバー冷却気体供給、前記灰排出システム、運搬システムの速度、振動システム、火格子振動システム、ローラーエレメント、およびこのようなシステムの任意の組み合わせまたは錯列。
【請求項３０】
請求項２９に記載の大量燃料燃焼炉であって、ここで前記燃焼制御システムが、以下からなる群より選択される燃焼パラメーターに対して応答性である制御システムを備える、大量燃料燃焼炉：酸素含有量、一酸化炭素含有量、炉圧、温度、燃焼温度、燃焼後温度、燃料供給速度と燃焼気体供給速度との間の関係およびこのようなパラメーターの任意の組み合わせまたは錯列。
【請求項３１】
請求項２３または２４に記載の大量燃料燃焼炉であって、ここで前記燃焼制御システムが、以下からなる群から選択されるパラメーターに対して応答性を有する、大量燃料燃焼炉：燃料供給速度、炉熱放出速度、気体パルス周波数、気体フロー速度、燃焼気体フロー速度、第２の気体フロー速度、灰排出速度、大量の燃料運搬速度、振動強度、振動周波数、振動場所、振動タイミング、ローラースピード、ローラー深度、大量の燃料深度およびこのようなパラメーターの任意の組み合わせまたは錯列。
【請求項３２】
前記灰排出システムがローラーを備える、請求項１に記載の大量燃料燃焼炉。
【請求項３３】
請求項３２に記載の大量燃料燃焼炉であって、ここで前記ローラーが隣接可能なローラーを備え、前記火格子システムにおける燃料の量が、該隣接可能なローラーに対して応答性である、大量燃料燃焼炉。
【請求項３４】
請求項３２に記載の大量燃料燃焼炉であって、ここで前記灰排出システムが、前記ローラーに隣接して位置付けされる旋回可能なプレートをさらに備える、大量燃料燃焼炉。
【請求項３５】
請求項１に記載の大量燃料燃焼炉であって、ここで前記大量燃料供給エレメントが、低部空気導入大量燃料供給システムを備える、大量燃料燃焼炉。
【請求項３６】
請求項３１に記載の大量燃料燃焼炉であって、ここで前記大量燃料供給エレメントが、低部空気導入大量燃料供給システムを備える、大量燃料燃焼炉。
【請求項３７】
大量燃料燃焼炉であって、以下：
　ａ．大量燃料供給エレメント；
　ｂ．該大量燃料供給エレメントから大量の燃料を受容するために位置付けされる燃焼チャンバー；
　ｃ．該燃焼チャンバー内にあり、かつ入口端および出口端を有する火格子システム；
　ｄ．複数の独立して制御可能な振動エレメントであって、これに対して該火格子システムが応答性である、制御可能な振動エレメント；
　ｅ．該燃焼チャンバー内の燃焼気体供給；および
　ｆ．該火格子システムの該出口端の付近に位置する灰排出システム、
を含む、大量燃料燃焼炉。        
【請求項３８】
前記火格子システムは、複数の重複火格子エレメントを備える、請求項３７に記載の大量燃料燃焼炉。
【請求項３９】
請求項３８に記載の大量燃料燃焼炉であって、ここで前記複数の重複火格子エレメントが複数の火格子帯を備え、該複数の火格子帯は、前記複数の独立して制御可能な振動エレメントの少なくとも一部に対して、各々個々に応答性である、大量燃料燃焼炉。
【請求項４０】
請求項３９に記載の大量燃料燃焼炉であって、そして複数の振動相互連絡エレメントをさらに備え、該複数の振動相互連絡エレメントの各々に対して、前記複数の重複火格子エレメントの少なくとも一部が応答性である、大量燃料燃焼炉。
【請求項４１】
請求項４０に記載の大量燃料燃焼炉であって、ここで前記複数の振動相互連絡エレメントの少なくとも一部が、前記複数の独立して制御可能な振動エレメントの各々に対して応答性である、大量燃料燃焼炉。
【請求項４２】
前記複数の振動相互連絡エレメントの各々がロッドを備える、請求項４１に記載の大量燃料燃焼炉。
【請求項４３】
請求項４２に記載の大量燃料燃焼炉であって、ここで前記重複火格子エレメントが、リブエレメントをさらに備え、該リブエレメントの各々が、前記相互連絡エレメントの一つに対して応答性である、大量燃料燃焼炉。　
【請求項４４】
請求項３７に記載の大量燃料燃焼炉であって、ここで前記火格子システムが複数の振動火格子帯を備え、該複数の振動火格子帯は、前記複数の独立して制御可能な振動エレメントの一つに対して各々個々に応答性である、大量燃料燃焼炉。
【請求項４５】
大量燃料燃焼炉が以下：
　ａ．大量燃料供給エレメント；
　ｂ．該大量燃料供給エレメントから大量の燃料を受容するために位置付けされる燃焼チャンバー；
　ｃ．該燃焼チャンバー内にあり、かつ入口端および出口端を有する火格子システムであって、該火格子システムを横切って該大量の燃料が運搬される、火格子システム；
　ｄ．該燃焼チャンバー内にある、燃焼気体供給；
　ｅ．該燃焼気体供給から独立している該燃焼チャンバー内にある温度制御気体供給；
　ｆ．該火格子システムの該出口端の付近に位置する、灰排出システム、
を備える、大量燃料燃焼炉。
【請求項４６】
前記燃焼チャンバー内にある前記温度制御気体供給が、実質的に不燃性の気体の供給を備える、請求項４５に記載の大量燃料燃焼炉。
【請求項４７】
前記実質的に不燃性の気体の供給が、前記燃焼チャンバー内に再循環燃焼気体供給を備える、請求項４６に記載の大量燃料燃焼炉。
【請求項４８】
請求項４５に記載の大量燃料燃焼炉であって、そして該大量燃料燃焼炉は、前記燃焼チャンバー内に燃料混合気体供給をさらに備え、そしてここで該燃焼チャンバー内にある前記温度制御気体供給は、前記燃焼気体供給および該燃料混合気体供給の両方から独立している温度制御気体供給を備える、大量燃料燃焼炉。
【請求項４９】
前記燃焼チャンバー内にある前記温度制御気体供給が冷却気体供給を備える、請求項４５に記載の大量燃料燃焼炉。
【請求項５０】
前記冷却気体供給が再循環気体供給を備える、請求項４９に記載の大量燃料燃焼炉。
【請求項５１】
前記燃焼チャンバー内にある前記温度制御気体供給が、該燃焼チャンバー内に燃焼後気体供給を備える、請求項４５に記載の大量燃料燃焼炉。
【請求項５２】
請求項４５または５１に記載の大量燃料燃焼炉であって、ここで前記燃焼チャンバー内にある前記温度制御気体供給は、前記火格子システムの上に位置付けされる頂部気体供給を備える、大量燃料燃焼炉。
【請求項５３】
請求項４５または５１に記載の大量燃料燃焼炉であって、ここで前記燃焼チャンバー内にある前記温度制御気体供給は、前記火格子システムの下に位置付けされる気体供給を備える、大量燃料燃焼炉。
【請求項５４】
前記大量燃料供給エレメントが低部空気導入大量燃料供給システムを備える、請求項４５に記載の大量燃料燃焼炉。
【請求項５５】
前記燃焼チャンバー内にある前記温度制御気体供給が、集塊化燃焼副生成物低減システムを備える、請求項４５に記載の大量燃料燃焼炉。
【請求項５６】
前記集塊化燃焼副生成物低減システムが集塊化燃焼副生成物低減再循環気体供給を備える、請求項５５に記載の大量燃料燃焼炉。
【請求項５７】
前記集塊化燃焼副生成物低減気体供給が再循環気体供給を備える、請求項５６に記載の大量燃料燃焼炉。
【請求項５８】
独立燃焼気体パルスシステムをさらに備える請求項４５に記載の大量燃料燃焼炉であって、該独立燃焼気体パルスシステムが前記混合気体供給から独立し、そして該独立燃焼気体パルスシステムに対して前記燃焼気体供給が応答性である、大量燃料燃焼炉。
【請求項５９】
気体パルスシステムをさらに備え、該気体パルスシステムに対して、前記気体供給のうち少なくとも１つが応答性である、請求項４５に記載の大量燃料燃焼炉。
【請求項６０】
前記気体供給のうち少なくとも１つが応答性である前記気体パルスシステムが、可変気体パルスシステムを備える、請求項５９に記載の大量燃料燃焼炉。
【請求項６１】
大量の燃料を燃焼する方法であって、該方法は、以下の工程：
　ａ．大量の燃料を受容するように位置付けされる燃焼チャンバーを提供する工程；
ｂ．該燃焼チャンバー内に火格子システムを設置するために複数の火格子エレメントを重複する工程；
ｃ．該複数の重複火格子エレメントを重複する該工程の結果として、該火格子システムにおいて複数の空間を設置する工程；
ｄ．該複数の重複火格子エレメントにおいて、複数のアパーチャを提供する工程；
ｅ．大量の燃料を、該燃焼チャンバーへ供給する工程；
ｆ．該火格子システムにおいて該複数の空間を通じて、燃焼気体を導入する工程；
ｇ．該燃焼チャンバー内にある該複数の重複火格子エレメントにおいて、該複数のアパーチャを通じて第２の気体を導入する工程；
ｈ．該火格子システムを横切って、該大量の燃料を運搬する工程；
ｉ．該大量の燃料の少なくとも一部を燃焼し、燃焼生成物を生成する工程；および
ｊ．該燃焼生成物を排出する工程、
を包含する、方法。
【請求項６２】
請求項６１に記載の大量の燃料を燃焼する方法であって、ここで該火格子システムにおいて前記複数の空間を通じて燃焼気体を導入する前記工程が、該火格子システムにおける該複数の空間を通じて燃焼空気を導入する工程を包含する、方法。
【請求項６３】
請求項６１に記載の大量の燃料を燃焼する方法であって、ここで燃焼チャンバー内に火格子システムを設置するために複数の火格子エレメントを重複する前記工程が、該燃焼チャンバー内に実質的に平面の火格子システムを設置する工程を包含する、方法。
【請求項６４】
請求項６３に記載の大量の燃料を燃焼する方法であって、ここで燃焼チャンバー内に火格子システムを設置するための複数の火格子エレメントを重複する前記工程が、燃焼チャンバー内に前記実質的に平面の火格子システムを設置するために、複数の実質的に平面の火格子エレメントを重複する工程を包含する、方法。
【請求項６５】
請求項６４に記載の大量の燃料を燃焼する方法であって、ここで該大量の燃料の少なくとも一部分を燃焼して燃焼生成物を生成する前記工程は、前記燃焼空気を利用し、そして該燃焼空気が、該大量の燃料の少なくとも一部を燃焼して燃焼生成物を生成する工程に使用された後の該燃焼空気を再循環する工程をさらに包含する、方法。
【請求項６６】
燃焼チャンバー内にある前記複数の火格子エレメントをインターロックする工程をさらに包含する、請求項６４に記載の大量の燃料を燃焼する方法。
【請求項６７】
平面表面内にある前記複数の火格子エレメントを制限する工程をさらに包含する、請求項６６に記載の大量の燃料を燃焼する方法。
【請求項６８】
前記複数の火格子エレメントにおける少なくとも１つの一体型リブを通じて熱を消失する工程をさらに包含する、請求項６６に記載の大量の燃料を燃焼する方法。
【請求項６９】
請求項６１に記載の大量の燃料を燃焼する方法であって、前記複数の重複火格子エレメントを重複する工程の結果として、前記火格子システムにおいて複数の空間を設置する前記工程が、火格子エレメント間の重複スペーサーを利用する工程を包含する、方法。
【請求項７０】
請求項６２に記載の大量の燃料を燃焼する方法であって、ここで前記火格子システムにおける前記複数の空間を通じて燃焼気体を導入する前記工程が、該火格子システムの下のプレナムを通じて、前記燃焼空気を分配する工程を包含する、方法。
【請求項７１】
前記燃焼気体をパルス化する工程をさらに包含する、請求項６２に記載の大量の燃料を燃焼する方法。
【請求項７２】
請求項６１に記載の大量の燃料を燃焼する方法であって、前記燃焼生成物が存在する場所において、第３の気体を導入する工程をさらに包含する、方法。
【請求項７３】
請求項６５に記載の大量の燃料を燃焼する方法であって、ここで前記燃焼空気が、該大量の燃料の少なくとも一部分を燃焼し、燃焼生成物を生成する前記工程において使用された後に、該燃焼空気を再循環する工程が、該燃焼生成物が存在する場所において再循環気体を導入する工程を包含する、方法。
【請求項７４】
請求項６１に記載の大量の燃料を燃焼する方法であって、ここで前記燃焼チャンバー内にある前記複数の重複火格子エレメントにおいて、前記複数のアパーチャを通じて第２の気体を導入する前記工程は、該重複火格子エレメントの各々の下のプレナムを通じて、前記第２の空気を分配する工程を包含する、方法。
【請求項７５】
前記第２の気体をパルス化する工程をさらに包含する、請求項７４に記載の大量の燃料を燃焼する方法
【請求項７６】
前記第２の気体をパルス化する工程が、前記燃焼気体から独立している該第２の気体をパルス化する工程を包含する、請求項７５に記載の大量の燃料を燃焼する方法。
【請求項７７】
前記火格子システムの少なくとも一部を振動する工程をさらに包含する、請求項６１に記載の大量の燃料を燃焼する方法。
【請求項７８】
複数の振動エレメントを提供する工程をさらに包含する請求項７７に記載の大量の燃料を燃焼する方法であって、そしてここで振動する前記工程が、前記複数の振動エレメントの各々を独立して制御する工程を包含する、方法。
【請求項７９】
前記大量の燃料の少なくとも一部を燃焼し、燃焼生成物を生成する前記工程が達成されながら、該大量の燃料の少なくとも一部を燃焼し、燃焼生成物を生成する該工程が達成されるレベルを積極的に制御する工程をさらに包含する、請求項６１に記載の大量の燃料を燃焼する方法。
【請求項８０】
前記大量の燃料の少なくとも一部分を燃焼し、燃焼生成物を生成する前記工程が達成されながら、該大量の燃料の少なくとも一部分を燃焼し、燃焼生成物を生成する該工程が達成されるレベルを積極的に制御する工程をさらに包含する、請求項７２に記載の大量の燃料を燃焼する方法。
【請求項８１】
前記大量の燃料の少なくとも一部を燃焼し、燃焼生成物を生成する前記工程が達成されながら、該大量の燃料の少なくとも一部分を燃焼し、燃焼生成物を生成する前記工程が達成されるレベルを積極的に制御する前記工程が、前記燃焼チャンバーにおいて温度を感知する工程を包含する、請求項７９または８０に記載の大量の燃料を燃焼する方法。
【請求項８２】
請求項８１に記載の大量の燃料を燃焼する方法であって、ここで前記燃焼チャンバーの温度を感知する前記工程が、以下の工程：
ａ．該燃焼チャンバーの第１の温度を感知する工程；および
ｂ．該燃焼チャンバーの第２の温度を感知する工程、
を包含する、方法。
【請求項８３】
前記燃焼チャンバーにおける第１の温度を感知する前記工程が、該燃焼チャンバーにおける燃焼温度を感知する工程を包含し、そして該燃焼チャンバーにおける第２の温度を感知する前記工程が、該燃焼チャンバーにおける燃焼後温度を感知する工程を包含する、請求項８２に記載の大量の燃料を燃焼する方法。
【請求項８４】
前記大量の燃料の少なくとも一部分を燃焼し、燃焼生成物を生成する前記工程が達成されながら、該大量の燃料の少なくとも一部分を燃焼し、燃焼生成物を生成する該工程が達成されるレベルを積極的に制御する工程が、前記燃焼チャンバーの少なくとも１つのシステムパラメーター調整する工程を包含する、請求項７９または８０に記載の大量の燃料を燃焼する方法。
【請求項８５】
請求項８４に記載の大量の燃料を燃焼する方法であって、ここで前記燃焼チャンバーの少なくとも１つのシステムパラメーターを調整する工程が、以下からなる群より選択されるシステムパラメーターを調整する工程を包含する、方法：大量の燃料を該燃焼チャンバー中に供給する前記工程、前記火格子システムにおける前記複数の空間を通じて、燃焼気体を導入する前記工程、前記燃焼チャンバー内にある前記複数の重複火格子エレメントにおける前記複数のアパーチャを通じて、第２の気体を導入する前記工程、該燃焼チャンバーへ燃焼後気体を導入する工程、該燃焼チャンバーを冷却する工程、該燃焼チャンバー内にある酸素含有量を制御する工程、燃焼気体酸素含有量を制御する工程、該燃焼チャンバー内にある一酸化炭素含有量を制御する工程、燃焼気体一酸化炭素含有量を制御する工程、該燃焼チャンバー内の温度を制御する工程、該燃焼チャンバー内の燃焼温度を制御する工程、該燃焼チャンバー内の燃焼後温度を制御する工程、該燃焼チャンバーへ大量の燃料を供給する前記工程と前記火格子システムにおける前記複数の空間を通じて燃焼気体を導入する前記工程との間の関係を制御する工程、灰排出速度を制御する工程、大量の燃料の運搬速度を制御する工程、振動強度を制御する工程、振動周波数を制御する工程、振動場所を制御する工程、振動タイミングを制御する工程、ローラースピードを制御する工程、ローラー深度を制御する工程、大量の燃料深度を制御する工程、およびこのような工程の任意の組み合わせまたは錯列。　
【請求項８６】
前記火格子システムの出口端におけるローラーの操作により、該火格子システムにおける前記大量の燃料の深度を制御する工程をさらに包含する、請求項６１に記載の大量の燃料を燃焼する方法。
【請求項８７】
前記火格子システムの出口端におけるローラーの操作により、該火格子システムにおける前記大量の燃料の深度を制御する工程が、該ローラーを調節する工程を包含する、請求項８６に記載の大量の燃料を燃焼する方法。
【請求項８８】
前記ローラーと前記火格子システムとの間の連絡を維持する工程をさらに包含する、請求項８６に記載の大量の燃料を燃焼する方法。
【請求項８９】
請求項６１に記載の大量の燃料を燃焼する方法であって、ここで大量の燃料を前記燃焼チャンバーへ供給する前記工程が、該大量の燃料と共に該燃焼チャンバー中へ導入される空気の量を制限する工程を包含する、方法。
【請求項９０】
請求項８５に記載の大量の燃料を燃焼する方法であって、ここで大量の燃料を前記燃焼チャンバーへ供給する前記工程が、該大量の燃料と共に該燃焼チャンバー中へ導入される空気の量を制限する工程を包含する、方法。
【請求項９１】
大量の燃料を燃焼する方法であって、該方法は、以下の工程：
　ａ．大量の燃料を受容するように位置付けされる燃焼チャンバーを提供する工程；
ｂ．該燃焼チャンバー内に火格子システムを提供する工程；
ｃ．大量の燃料を該火格子システムへ供給する工程；
ｄ．該大量の燃料を実質的に燃焼する工程；
ｅ．複数の振動エレメントを提供する工程；
ｆ．該複数の振動エレメントの各々を独立して制御する工程；および
ｇ．該火格子システムの少なくとも一部を振動する工程、
を包含する、方法。
【請求項９２】
請求項９１に記載の大量の燃料を燃焼する方法であって、そして以下の工程：　
　ａ．燃焼される大量の燃料を形成する工程；および　
　ｂ．前記火格子システムを振動する前記工程の結果として、該燃焼される大量の燃料を攪拌する工程、
をさらに包含する、方法。
【請求項９３】
請求項９２に記載の大量の燃料を燃焼する方法であって、燃焼される大量の燃料を形成する前記工程を達成する場合、燃焼されない材料を形成する工程をさらに包含する、方法。
【請求項９４】
前記火格子システムを振動する前記工程の結果として、前記燃焼されない材料を攪拌する工程をさらに包含する、請求項９３に記載の大量の燃料を燃焼する方法。
【請求項９５】
燃焼される大量の燃料を形成する前記工程が、集塊化燃焼副生成物を形成する工程を包含する、請求項９２に記載の大量の燃料を燃焼する方法。
【請求項９６】
請求項９５に記載の大量の燃料を燃焼する方法であって、ここで前記燃焼される大量の燃料を攪拌する前記工程が、前記集塊化燃焼副生成物を攪拌する工程を包含する、方法。
【請求項９７】
前記燃焼チャンバーから前記集塊化燃焼副生成物を除去する工程をさらに包含する、請求項９６に記載の大量の燃料を燃焼する方法。
【請求項９８】
前記振動する工程、前記攪拌する工程および前記除去する工程を繰り返す工程をさらに包含する、請求項９７に記載の大量の燃料を燃焼する方法。
【請求項９９】
除去する前記工程が、振動する工程および攪拌する工程を繰り返す前記工程の間に、前記燃焼チャンバーから前記集塊化燃焼副生成物を除去する工程を包含する、請求項９８に記載の大量の燃料を燃焼する方法。
【請求項１００】
前記供給する工程、前記実質的に燃焼する工程、および前記形成する工程を繰り返す工程をさらに包含する、請求項９５に記載の大量の燃料を燃焼する方法。
【請求項１０１】
前記燃焼される大量の燃料を攪拌する前記工程が、前記集塊化燃焼副生成物を攪拌する工程を包含する、請求項１００に記載の大量の燃料を燃焼する方法。
【請求項１０２】
前記燃焼チャンバーから前記集塊化燃焼副生成物を除去する工程をさらに包含する、請求項１０１に記載の大量の燃料を燃焼する方法。
【請求項１０３】
前記振動する工程、前記攪拌する工程および前記除去する工程を繰り返す工程をさらに包含する、請求項１０２に記載の大量の燃料を燃焼する方法。
【請求項１０４】
振動する工程および攪拌する工程を繰り返す前記工程の間に、前記燃焼チャンバーから前記集塊化燃焼副生成物除去する工程をさらに包含する、請求項１０３に記載の大量の燃料を燃焼する方法。
【請求項１０５】
請求項９４に記載の大量の燃料を燃焼する方法であって、ここで前記火格子システムが、前記入口端と前記出口端との間に長さを有し、そして、ここで攪拌する前記工程が、該火格子システムの該長さに沿って、前記燃焼される大量の燃料を撹拌しながら運搬する工程を包含する、方法。　
【請求項１０６】
攪拌する前記工程が、燃焼される大量の燃料を前記燃焼チャンバーから攪拌しながら除去する工程をさらに包含する、請求項１０５に記載の大量の燃料を燃焼する方法。
【請求項１０７】
燃焼される大量の燃料を形成する前記工程が、集塊化燃焼副生成物を形成する工程を包含する、請求項１０６に記載の大量の燃料を燃焼する方法。
【請求項１０８】
火格子システムを提供する前記工程が、前記複数の振動エレメントに対して応答性の複数の火格子エレメントを提供する工程を包含する、請求項９５に記載の大量の燃料を燃焼する方法。
【請求項１０９】
振動する前記工程が、前記振動エレメントの各々と共に前記複数の火格子エレメントの少なくとも一部分を振動する工程を包含する、請求項１０８に記載の大量の燃料を燃焼する方法。
【請求項１１０】
振動する前記工程が、前記複数の振動エレメントの各々を独立して制御する工程を包含する、請求項１０９に記載の大量の燃料を燃焼する方法。
【請求項１１１】
火格子システムを提供する前記工程が、複数の前記火格子エレメントが応答性である複数の相互連絡エレメントを提供する工程を包含する、請求項１０８に記載の大量の燃料を燃焼する方法。
【請求項１１２】
振動する前記工程が、前記振動エレメントの各々と共に前記複数の相互連絡エレメントの少なくとも一部を振動する工程を包含する、請求項１１１に記載の大量の燃料を燃焼する方法。
【請求項１１３】
大量の燃料を燃焼する方法であって、該方法は、以下の工程：
　ａ．大量の燃料を受容するように位置付けされる燃焼チャンバーを提供する工程；
　ｂ．該燃焼チャンバー内に火格子システムを設置する工程；
　ｃ．該燃焼チャンバー内にある該火格子システム上へ大量の燃料を供給する工程；
　ｄ．該火格子システムを横切って該大量の燃料を運搬する工程；
　ｅ．該燃焼チャンバー中へ燃焼気体を導入する工程；
　ｆ．該大量の燃料の少なくとも一部を燃焼し、燃焼生成物を生成する、工程；
　ｇ．該燃焼気体を該燃焼チャンバー中へ導入する前記工程から独立している、該燃焼チャンバー内に温度制御気体を導入する工程；
　ｈ．該温度制御気体を介して該燃焼チャンバー内の温度を制御する工程；および
　ｉ．該燃焼生成物を排出する工程、
を包含する、方法。
【請求項１１４】
請求項１１３に記載の大量の燃料を燃焼する方法であって、ここで温度制御気体を前記燃焼チャンバー中へ導入する前記工程が、該燃焼チャンバー中へ実質的に不燃性の気体を導入する工程を包含する、方法。
【請求項１１５】
実質的に不燃性の気体を前記燃焼チャンバー中へ導入する前記工程が　該燃焼チャンバー内に再循環燃焼気体を導入する工程を包含する、請求項１１４に記載の大量の燃料を燃焼する方法。
【請求項１１６】
請求項１１３に記載の大量の燃料を燃焼する方法であって、混合気体を前記燃焼チャンバー中へ導入する工程をさらに包含し、そしてここで混合気体を該燃焼チャンバー中へ導入する前記工程が、燃焼気体を該燃焼チャンバー中へ導入する前記工程および温度制御気体を該燃焼チャンバー中へ導入する工程の両方から独立している、方法。
【請求項１１７】
温度制御気体を前記燃焼チャンバー中へ導入する前記工程が、冷却気体を該燃焼チャンバー中へ導入する工程を包含する、請求項１１３に記載の大量の燃料を燃焼する方法。
【請求項１１８】
冷却気体を前記燃焼チャンバー中へ導入する前記工程が、再循環燃焼気体を該燃焼チャンバー中へ導入する工程を包含する、請求項１１７に記載の大量の燃料を燃焼する方法。
【請求項１１９】
温度制御気体を前記燃焼チャンバー中へ導入する前記工程は、前記燃焼生成物が存在する場所において前記温度制御気体を導入する工程を包含する、請求項１１３に記載の大量の燃料を燃焼する方法。
【請求項１２０】
前記燃焼生成物が存在する場所で前記温度制御気体を導入する前記工程が、前記火格子システムの上に該温度制御気体を導入する工程を包含する、請求項１１９に記載の大量の燃料を燃焼する方法。
【請求項１２１】
前記燃焼生成物が存在する場所で前記温度制御気体を導入する前記工程が、前記火格子システムの下に該温度制御気体を導入する工程を包含する、請求項１１９に記載の大量の燃料を燃焼する方法。
【請求項１２２】
前記燃焼チャンバーに大量の燃料を供給する前記工程が、該大量の燃料と共に該燃焼チャンバーに導入される空気の量を制限する工程を包含する、請求項１１３に記載の大量の燃料を燃焼する方法。
【請求項１２３】
前記大量の燃料の少なくとも一部を燃焼し、燃焼生成物を生成する前記工程の結果として、前記燃焼チャンバー内にある集塊化燃焼副生成物を低減する工程をさらに包含する、請求項１１３に記載の大量の燃料を燃焼する方法。
【請求項１２４】
前記大量の燃料の少なくとも一部を燃焼し、燃焼生成物を生成する前記工程の結果として、前記燃焼チャンバー内にある集塊化燃焼副生成物を低減する前記工程が、該燃焼チャンバー内に集塊化燃焼副生成物低減気体を導入する工程を包含する、請求項１２３に記載の大量の燃料を燃焼する方法。
【請求項１２５】
前記燃焼チャンバー内に集塊化燃焼副生成物低減気体を導入する前記工程が、該燃焼チャンバー内に再循環燃焼気体を導入する工程を包含する、請求項１２４に記載の大量の燃料を燃焼する方法。
【請求項１２６】
前記チャンバー内に導入される前記気体の少なくとも１つをパルス化する工程をさらに包含する、請求項１１３に記載の大量の燃料を燃焼する方法。
【請求項１２７】
前記温度制御気体をパルス化する前記工程をさらに包含する、請求項１１３に記載の大量の燃料を燃焼する方法。
【請求項１２８】
大量燃料燃焼炉であって、以下：
　ａ．大量燃料供給エレメント；
　ｂ．該大量燃料供給エレメントから大量の燃料を受容するように位置付けされる、燃焼チャンバー；
　ｃ．該燃焼チャンバー内にある傾いた火格子システム；
　ｄ．該傾いた火格子システムが応答性である振動エレメント；
　ｅ．該燃焼チャンバー内にある燃焼気体供給；および
　ｆ．該傾いた火格子システムの前記出口端の付近に位置する灰排出システム、
を包含する、大量燃料燃焼炉。
【請求項１２９】
前記傾いた火格子システムが、複数の重複火格子エレメントを備える、請求項１２８に記載の大量燃料燃焼炉。
【請求項１３０】
前記複数の重複火格子エレメントが、前記振動エレメントに対して各々個々に応答性である複数の火格子帯を備える、請求項１２９に記載の大量燃料燃焼炉。
【請求項１３１】
複数の振動相互連絡エレメントをさらに備える請求項１３０に記載の大量燃料燃焼炉であって、該複数の振動相互連絡エレメントの各々に対して、前記複数の前記重複火格子エレメントの少なくとも一部が応答性である、大量燃料燃焼炉。
【請求項１３２】
前記複数の振動相互連絡エレメントが、前記振動エレメントに対して応答性である、請求項１３１に記載の大量燃料燃焼炉。
【請求項１３３】
複数の振動エレメントをさらに備える請求項１３１に記載の大量燃料燃焼炉であって、該複数の振動エレメントの各々に対して、前記複数の前記相互連絡エレメントの少なくとも一部が応答性である、大量燃料燃焼炉。
【請求項１３４】
前記複数の振動エレメントの各々が独立して制御可能である、請求項１３３に記載の大量燃料燃焼炉。
【請求項１３５】
前記複数の振動相互連絡エレメントの各々がロッドを備える、請求項１３２または１３３に記載の大量燃料燃焼炉。
【請求項１３６】
請求項１３５に記載の大量燃料燃焼炉であって、ここで前記重複火格子エレメントが、リブエレメントをさらに備え、該リブエレメントの各々が、前記相互連絡エレメントの一つに対して応答性である、大量燃料燃焼炉。　
【請求項１３７】
請求項１２８に記載の大量燃料燃焼炉であって、ここで前記傾いた火格子システムが複数の振動火格子帯を備え、該複数の振動火格子帯は前記振動エレメントに対して各々個々に応答性である、大量燃料燃焼炉。
【請求項１３８】
複数の振動エレメントをさらに備える請求項１３７に記載の大量燃料燃焼炉であって、該複数の振動エレメントに対して前記振動火格子帯の１つが応答性である、大量燃料燃焼炉。
【請求項１３９】
前記複数の振動エレメントの各々が独立して制御可能である、請求項１３８に記載の大量燃料燃焼炉。
【請求項１４０】
大量の燃料を燃焼する方法であって、該方法は、以下の工程：
　ａ．大量の燃料を受容するように位置付けされる燃焼チャンバーを提供する工程；
　ｂ．該燃焼チャンバー内に傾いた火格子システムを提供する工程；
　ｃ．大量の燃料を、該傾いた火格子システムへ供給する工程； 
　ｄ．該大量の燃料を実質的に燃焼する工程；および
　ｅ．該傾いた火格子システムの少なくとも一部を振動する工程、
を包含する、方法。
【請求項１４１】
請求項１４０に記載の大量の燃料を燃焼する方法であって、以下の工程：　
　ａ．燃焼される大量の燃料を形成する工程；および　
　ｂ．前記傾いた火格子システムを振動する前記工程の結果として、該燃焼される大量の燃料を撹拌する工程、
をさらに包含する、方法。
【請求項１４２】
燃焼される大量の燃料を形成する前記工程を達成する場合、燃焼されない材料を形成する工程をさらに包含する、請求項１４１に記載される大量の燃料を燃焼する方法。
【請求項１４３】
前記傾いた火格子システムを振動する前記工程の結果として、前記燃焼されない材料を攪拌する工程をさらに包含する、請求項１４２に記載の大量の燃料を燃焼する方法。
【請求項１４４】
燃焼される大量の燃料を形成する前記工程が、集塊化燃焼副生成物を形成する工程を包含する、請求項１４１に記載の大量の燃料を燃焼する方法。
【請求項１４５】
前記燃焼される大量の燃料を攪拌する前記工程が、前記集塊化燃焼副生成物を攪拌する工程を包含する、請求項１４４に記載の大量の燃料を燃焼する方法。
【請求項１４６】
前記燃焼チャンバーから前記集塊化燃焼副生成物を除去する工程をさらに包含する、請求項１４５に記載の大量の燃料を燃焼する方法。
【請求項１４７】
前記振動する工程、前記攪拌する工程および前記除去する工程を繰り返す工程をさらに包含する、請求項１４６に記載の大量の燃料を燃焼する方法。
【請求項１４８】
除去する前記工程が、振動する工程および攪拌する工程を繰り返す前記工程の間、前記燃焼チャンバーから前記集塊化燃焼副生成物を除去する工程を包含する、請求項１４７に記載の大量の燃料を燃焼する方法。
【請求項１４９】
前記供給する工程、前記実質的に燃焼する工程、および前記形成する工程を繰り返す工程をさらに包含する、請求項１４４に記載の大量の燃料を燃焼する方法。
【請求項１５０】
前記燃焼される大量の燃料を攪拌する前記工程が、前記集塊化燃焼副生成物を攪拌する工程を包含する、請求項１４９に記載の大量の燃料を燃焼する方法。
【請求項１５１】
前記燃焼チャンバーから前記集塊化燃焼副生成物を除去する工程をさらに包含する請求項１５０に記載の大量の燃料を燃焼する方法。
【請求項１５２】
前記振動する工程、前記攪拌する工程および前記除去する工程を繰り返す工程をさらに包含する、請求項１５１に記載の大量の燃料を燃焼する方法。
【請求項１５３】
振動する工程および攪拌する工程を繰り返す前記工程の間、前記燃焼チャンバーから前記集塊化燃焼副生成物を除去する工程をさらに包含する、請求項１５２に記載の大量の燃料を燃焼する方法。
【請求項１５４】
請求項１４１に記載の大量の燃料を燃焼する方法であって、ここで前記傾いた火格子システムは、前記入口端と前記出口端との間に長さを有し、そしてここで攪拌する前記工程は、該火格子システムの該長さに沿って、前記燃焼される大量の燃料を撹拌しながら運搬する工程を包含する、方法。
【請求項１５５】
攪拌する前記工程が、燃焼される大量の燃料を前記燃焼チャンバーから攪拌しながら除去する工程をさらに包含する、請求項１５４に記載の大量の燃料を燃焼する方法。
【請求項１５６】
燃焼される大量の燃料を形成する前記工程が、集塊化燃焼副生成物を形成する工程を包含する、請求項１５５に記載の大量の燃料を燃焼する方法。
【請求項１５７】
複数の振動エレメントを提供する工程をさらに包含する請求項１５０に記載の大量の燃料を燃焼する方法であって、そしてここで振動する前記工程が、該複数の振動エレメントと共に前記傾いた火格子システムの少なくとも一部を振動する工程を包含する、方法。
【請求項１５８】
振動する前記工程が前記複数の振動エレメントの各々を独立して制御する工程を包含する、請求項１５７に記載の大量の燃料を燃焼する方法。
【請求項１５９】
傾いた火格子システムを提供する前記工程が、前記複数の振動エレメントに対して応答性である複数の火格子エレメントを提供する工程を包含する、請求項１５７に記載の大量の燃料を燃焼する方法。　
【請求項１６０】
振動する前記工程が、前記振動エレメントの各々と共に前記複数の火格子エレメントの少なくとも一部を振動する工程を包含する、請求項１５９に記載の大量の燃料を燃焼する方法。
【請求項１６１】
振動する前記工程が、前記複数の振動エレメントの各々を独立して制御する工程を包含する、請求項１６０に記載の大量の燃料を燃焼する方法。
【請求項１６２】
傾いた火格子システムを提供する前記工程が複数の相互連絡エレメントを提供する工程を包含し、該複数の相互連絡エレメントに対して複数の前記火格子エレメントが応答性である、請求項１５９に記載の大量の燃料を燃焼する方法。
【請求項１６３】
振動する前記工程が、前記振動エレメントの各々と共に前記複数の相互連絡エレメントの少なくとも一部分を振動する工程を包含する、請求項１６２に記載の大量の燃料を燃焼する方法。
【請求項１６４】
大量燃料燃焼炉であって、以下：
　ａ．大量燃料供給エレメント；
　ｂ．該大量燃料供給エレメントから大量の燃料を受容するように位置付けされる、燃焼チャンバー；
　ｃ．該燃焼チャンバー内にある火格子システム；
　ｄ．該火格子システムが応答性である、実質的直交振動エレメント；
　ｅ．該燃焼チャンバー内にある燃焼気体供給；および
　ｆ．該火格子システムの出口端の付近に位置する、灰排出システム、
を備える、大量燃料燃焼炉。
【請求項１６５】
前記火格子システムが複数の重複火格子エレメントを備える、請求項１６４に記載の大量燃料燃焼炉。
【請求項１６６】
前記複数の重複火格子エレメントが、前記実質的直交振動エレメントに対して各々個々に応答性である複数の火格子帯を備える、請求項１６５に記載の大量燃料燃焼炉。
【請求項１６７】
複数の振動相互連絡エレメントをさらに備え、該複数の振動相互連絡エレメントに対して前記複数の前記重複火格子エレメントの少なくとも一部が応答性である、請求項１６６に記載の大量燃料燃焼炉。
【請求項１６８】
前記複数の振動相互連絡エレメントが、前記実質的直交振動エレメントに対して応答性である、請求項１６７に記載の大量燃料燃焼炉。
【請求項１６９】
複数の実質的直交振動エレメントをさらに備え、該複数の実質的直交振動エレメントの各々に対して、前記複数の前記相互連絡エレメントの少なくとも一部が応答性である、請求項１６７に記載の大量燃料燃焼炉。
【請求項１７０】
前記複数の実質的直交振動エレメントの各々が、独立して制御可能である、請求項１６９に記載の大量燃料燃焼炉。
【請求項１７１】
前記複数の振動相互連絡エレメントの各々がロッドを備える、請求項１６８または１６９に記載の大量燃料燃焼炉。
【請求項１７２】
前記重複火格子エレメントがリブエレメントをさらに備え、該リブエレメントの各々が、前記相互連絡エレメントの一つに対して応答性である、請求項１７１に記載の大量燃料燃焼炉。　
【請求項１７３】
前記火格子システムが前記実質的直交振動エレメントに対して各々個々に応答性である複数の振動火格子帯を備える、請求項１６４に記載の大量燃料燃焼炉。
【請求項１７４】
複数の実質的直交振動エレメントをさらに備え、該複数の実質的直交振動エレメントに対して前記振動火格子帯の一つが応答性である、請求項１７３に記載の大量燃料燃焼炉。
【請求項１７５】
前記複数の実質的直交振動エレメントの各々が独立して制御可能である、請求項１７４に記載の大量燃料燃焼炉。
【請求項１７６】
大量の燃料を燃焼する方法であって、該方法は、以下の工程：
　ａ．大量の燃料を受容するように位置付けされる燃焼チャンバーを提供する工程；
　ｂ．該燃焼チャンバー内に火格子システムを提供する工程；
　ｃ．大量の燃料を、該火格子システムへ供給する工程； 
　ｄ．該大量の燃料を実質的に燃焼する工程；および
　ｅ．該大量の燃料の流れに対して実質的に直交する該火格子システムの少なくとも一部を振動する工程、
を包含する、方法。
【請求項１７７】
請求項１７６に記載の大量の燃料を燃焼する方法であって、そしてさらに以下の工程：　
　ａ．燃焼される大量の燃料を形成する工程；および　
　ｂ．前記火格子システムを振動する前記工程の結果として該燃焼される大量の燃料を攪拌する工程、
を包含する、方法。
【請求項１７８】
燃焼される大量の燃料を形成する前記工程を達成する場合、燃焼されない材料を形成する工程をさらに包含する、請求項１７７に記載の大量の燃料を燃焼する方法。
【請求項１７９】
前記火格子システムを振動する前記工程の結果として、前記燃焼されない材料を攪拌する工程をさらに包含する、請求項１７８に記載の大量の燃料を燃焼する方法。　
【請求項１８０】
燃焼される大量の燃料を形成する前記工程が、集塊化燃焼副生成物を形成する工程を包含する、請求項１７７に記載の大量の燃料を燃焼する方法。
【請求項１８１】
前記燃焼される大量の燃料を攪拌する前記工程が、前記集塊化燃焼副生成物を攪拌する工程を包含する、請求項１８０に記載の大量の燃料を燃焼する方法。
【請求項１８２】
前記燃焼チャンバーから前記集塊化燃焼副生成物を除去する工程をさらに包含する、請求項１８１に記載の大量の燃料を燃焼する方法。
【請求項１８３】
前記振動する工程、前記攪拌する工程および前記除去する工程を繰り返す工程をさらに包含する、請求項１８２に記載の大量の燃料を燃焼する方法。
【請求項１８４】
除去する前記工程が、振動する工程および攪拌する工程を繰り返す前記工程の間に、前記燃焼チャンバーから前記集塊化燃焼副生成物を除去する工程を包含する、請求項１８３に記載の大量の燃料を燃焼する方法。　
【請求項１８５】
前記供給する工程、前記実質的に燃焼する工程、および前記形成する工程を繰り返す工程をさらに包含する、請求項１８０に記載の大量の燃料を燃焼する方法。
【請求項１８６】
前記燃焼される大量の燃料を攪拌する前記工程が、前記集塊化燃焼副生成物を攪拌する工程を包含する、請求項１８５に記載の大量の燃料を燃焼する方法。
【請求項１８７】
前記集塊化燃焼副生成物を前記燃焼チャンバーから除去する工程をさらに包含する、請求項１８６に記載の大量の燃料を燃焼する方法。
【請求項１８８】
前記振動する工程、前記攪拌する工程および前記除去する工程を繰り返す工程をさらに包含する、請求項１８７に記載の大量の燃料を燃焼する方法。
【請求項１８９】
振動する工程および攪拌する工程を繰り返す前記工程の間に、前記集塊化燃焼副生成物を前記燃焼チャンバーから除去する工程をさらに包含する、請求項１８８に記載の大量の燃料を燃焼する方法。
【請求項１９０】
請求項１７７に記載の大量の燃料を燃焼する方法であって、ここで前記火格子システムは、前記入口端と前記出口端との間に長さを有し、そしてここで攪拌する前記工程は、該火格子システムの該長さに沿って、前記燃焼される大量の燃料を撹拌しながら運搬する工程を包含する、方法。
【請求項１９１】
攪拌する前記工程が、燃焼される大量の燃料を前記燃焼チャンバーから攪拌しながら除去する工程をさらに包含する、請求項１９０に記載の大量の燃料を燃焼する方法。
【請求項１９２】
燃焼される大量の燃料を形成する前記工程が、集塊化燃焼副生成物を形成する工程を包含する、請求項１９１に記載の大量の燃料を燃焼する方法。
【請求項１９３】
複数の振動エレメントを提供する工程をさらに包含し、ここで振動する前記工程が、前記複数の振動エレメントと共に前記大量の燃料の流れに対して実質的に直交する前記火格子システムの少なくとも一部を振動する工程を包含する、請求項１８６に記載の大量の燃料を燃焼する方法。
【請求項１９４】
振動する前記工程が前記複数の振動エレメントの各々を独立して制御する工程を包含する、請求項１９３に記載の大量の燃料を燃焼する方法。
【請求項１９５】
火格子システムを提供する前記工程が、前記複数の振動エレメントに対して応答性である複数の火格子エレメントを提供する工程を包含する、請求項１９３に記載の大量の燃料を燃焼する方法。　
【請求項１９６】
振動する前記工程が、前記振動エレメントの各々と共に前記大量の燃料の流れに対して実質的に直交する前記複数の火格子エレメントの少なくとも一部を振動する工程を包含する、請求項１９５に記載の大量の燃料を燃焼する方法。
【請求項１９７】
振動する前記工程が前記複数の振動エレメントの各々を独立して制御する工程を包含する、請求項１９６に記載の大量の燃料を燃焼する方法。
【請求項１９８】
火格子システムを提供する前記工程が複数の相互連絡エレメントを提供する工程を包含し、該複数の相互連絡エレメントに対して、複数の前記火格子エレメントが応答性である、請求項１９５に記載の大量の燃料を燃焼する方法。
【請求項１９９】
振動する前記工程が前記振動エレメントの各々と共に前記複数の相互連絡エレメントの少なくとも一部を振動する工程を包含する、請求項１９８に記載の大量の燃料を燃焼する方法。
【請求項２００】
大量燃料燃焼炉であって、以下：
　ａ．大量燃料供給エレメント；
　ｂ．該大量燃料供給エレメントから大量の燃料を受容するように位置付けされる、燃焼チャンバー；
　ｃ．該燃焼チャンバー内にあり、かつ入口端および出口端を有する火格子システムであって、該火格子システムを横切って該大量の燃料が運搬される、火格子システム；
　ｄ．該燃焼チャンバー内にある、燃焼気体供給；
　ｅ．該燃焼チャンバー内にある、温度制御再循環気体供給；および
　ｆ．該火格子システムの該出口端の付近に位置する、灰排出システム、
を備える、大量燃料燃焼炉。
【請求項２０１】
前記燃焼チャンバー内にある前記温度制御再循環気体供給が、実質的に不燃性の再循環気体供給を備える、請求項２００に記載の大量燃料燃焼炉。
【請求項２０２】
前記実質的に不燃性の再循環気体供給が、前記燃焼チャンバー内にある再循環燃焼気体供給を備える、請求項２０１に記載の大量燃料燃焼炉。
【請求項２０３】
前記燃焼チャンバー内にある燃料混合気体供給をさらに備え、そしてここで該燃焼チャンバー内にある前記温度制御再循環気体供給が、前記燃焼気体供給および該燃料混合気体供給の両方から独立している温度制御再循環気体供給を備える、請求項２００に記載の大量燃料燃焼炉。
【請求項２０４】
前記燃焼チャンバー内にある前記温度制御再循環気体供給が、冷却気体供給を備える、請求項２００に記載の大量燃料燃焼炉。
【請求項２０５】
前記燃焼チャンバー内にある前記温度制御再循環気体供給が、該燃焼チャンバー内にある燃焼後再循環気体供給を備える、請求項２００に記載の大量燃料燃焼炉。
【請求項２０６】
前記燃焼チャンバー内にある前記温度制御再循環気体供給が、前記火格子システムの上に位置付けされる頂部気体供給を備える、請求項２００または２０５に記載の大量燃料燃焼炉。
【請求項２０７】
前記燃焼チャンバー内にある前記温度制御再循環気体供給が、前記火格子システムの下に位置付けられる気体供給を備える、請求項２００または２０５に記載の大量燃料燃焼炉。
【請求項２０８】
前記大量燃料供給エレメントが、低部空気導入大量燃料供給システムを備える、請求項２００に記載の大量燃料燃焼炉。
【請求項２０９】
前記燃焼チャンバー内にある前記温度制御再循環気体供給が、集塊化燃焼副生成物低減システムを備える、請求項２００に記載の大量燃料燃焼炉。
【請求項２１０】
前記集塊化燃焼副生成物低減システムが、集塊化燃焼副生成物低減再循環気体供給を備える、請求項２０９に記載の大量燃料燃焼炉。
【請求項２１１】
独立燃焼気体パルスシステムをさらに備える、請求項２００に記載の大量燃料燃焼炉であって、該独立燃焼気体パルスシステムは、前記混合気体供給から独立しており、かつ前記燃焼気体供給が、該独立燃焼気体パルスシステムに対して応答性である、大量燃料燃焼炉。
【請求項２１２】
気体パルスシステムをさらに備え、該気体パルスシステムに対して、前記気体供給のうち少なくとも１つが応答性である、請求項２００に記載の大量燃料燃焼炉。
【請求項２１３】
前記気体供給のうち少なくとも１つが応答性である前記気体パルスシステムが、可変気体パルスシステムを備える、請求項２１２に記載の大量燃料燃焼炉。
【請求項２１４】
大量の燃料を燃焼する方法であって、該方法は、以下の工程：
　ａ．大量の燃料を受容するように位置付けされる燃焼チャンバーを提供する工程；
　ｂ．燃焼チャンバー内に火格子システムを設置する工程；
　ｃ．該燃焼チャンバー内の該火格子システム上に大量の燃料を供給する工程；
　ｄ．該大量の燃料を該火格子システムを横切って運搬する工程；
　ｅ．燃焼気体を該燃焼チャンバーへ導入する工程；
　ｆ．該大量の燃料の少なくとも一部を燃焼して、燃焼生成物を生成する工程；
　ｇ．温度制御再循環気体を該燃焼チャンバー内に導入する工程；
　ｈ．該燃焼チャンバー内の温度を該温度制御再循環気体により制御する工程；
　ｉ．該燃焼生成物を排出する工程、
を包含する方法。
【請求項２１５】
請求項２１４に記載の大量の燃料を燃焼する方法であって、温度制御再循環気体を前記燃焼チャンバー内に導入する前記工程が、実質的に不燃性の再循環気体を該燃焼チャンバーに導入する工程を包含する、方法。
【請求項２１６】
請求項２１５に記載の大量の燃料を燃焼する方法であって、実質的に不燃性の再循環気体を前記燃焼チャンバーに導入する前記工程が、再循環燃焼気体を該燃焼チャンバー内に導入する工程を包含する、方法。
【請求項２１７】
請求項２１４に記載の大量の燃料を燃焼する方法であって、混合気体を前記燃焼チャンバーに導入する工程をさらに包含し、そしてここで混合気体を該燃焼チャンバーに導入する該工程が、燃焼気体を該燃焼チャンバーへ導入する前記工程および温度制御再循環気体を該燃焼チャンバー内に導入する前記工程の両方から独立している、方法。
【請求項２１８】
温度制御再循環気体を前記燃焼チャンバー内に導入する前記工程が、冷却気体を該燃焼チャンバーに導入する工程を包含する、請求項２１４に記載の大量の燃料を燃焼する方法。
【請求項２１９】
冷却気体を前記燃焼チャンバーに導入する前記工程が、再循環燃焼気体を該燃焼チャンバーに導入する工程を包含する、請求項２１８に記載の大量の燃料を燃焼する方法。
【請求項２２０】
温度制御再循環気体を前記燃焼チャンバー内に導入する前記工程が、前記燃焼生成物が存在する場所で該温度制御再循環気体を導入する工程を包含する、請求項２１４に記載の大量の燃料を燃焼する方法。
【請求項２２１】
前記燃焼生成物が存在する場所で前記温度制御再循環気体を導入する前記工程が、前記火格子システムの上に該温度制御再循環気体を導入する工程を包含する、請求項２２０に記載の大量の燃料を燃焼する方法。
【請求項２２２】
前記燃焼生成物が存在する場所で前記温度制御再循環気体を導入する前記工程が、前記火格子システムの下に該温度制御再循環気体を導入する工程を包含する、請求項２２０に記載の大量の燃料を燃焼する方法。
【請求項２２３】
前記燃焼チャンバーに大量の燃料を供給する前記工程が、該大量の燃料と共に該燃焼チャンバーに導入される空気の量を制限する工程を包含する、請求項２１４に記載の大量の燃料を燃焼する方法。
【請求項２２４】
請求項２１４に記載の大量の燃料を燃焼する方法であって、該大量の燃料の少なくとも一部を燃焼して、燃焼生成物を生成する前記工程の結果として、前記燃焼チャンバー内の集塊化燃焼副生成物を低減する工程をさらに包含する方法。
【請求項２２５】
請求項２２４に記載の大量の燃料を燃焼する方法であって、該大量の燃料の少なくとも一部を燃焼して、燃焼生成物を生成する前記工程の結果として、前記燃焼チャンバー内の集塊化燃焼副生成物を低減する前記工程が、集塊化燃焼副生成物低減気体を前記燃焼チャンバー内に導入する工程を包含する、方法。
【請求項２２６】
集塊化燃焼副生成物低減気体を前記燃焼チャンバー内に導入する前記工程が、再循環燃焼気体を該燃焼チャンバー内に導入する工程を包含する、請求項２２５に記載の大量の燃料を燃焼する方法。
【請求項２２７】
前記チャンバー内に導入される前記気体の少なくとも１つをパルス化する工程をさらに包含する、請求項２１４に記載の大量の燃料を燃焼する方法。
【請求項２２８】
前記温度制御再循環気体をパルス化する工程をさらに包含する、請求項２１４に記載の大量の燃料を燃焼する方法。
【請求項２２９】
前記燃焼気体供給に提供される燃焼気体の供給源および該燃焼気体の供給源と独立した、前記温度制御気体供給に提供される温度制御気体の供給源をさらに備える、請求項４５に記載の大量燃料燃焼炉。
【請求項２３０】
前記温度制御気体の供給源が、前記燃焼気体の供給源と特徴的に異なる、請求項２２９に記載の大量燃料燃焼炉。
【請求項２３１】
前記温度制御気体の供給源が、前記燃焼気体の供給源の燃焼特性よりも実質的に低い燃焼特性を有する、請求項２３０に記載の大量燃料燃焼炉。
【請求項２３２】
前記温度制御気体の供給源が、前記燃焼気体の供給源の温度変化特性と実質的に異なる温度変化特性を有する、請求項２３０または２３１に記載の大量燃料燃焼炉。
【請求項２３３】
温度制御気体を導入する前記工程が、前記燃焼気体と特徴的に異なる温度制御気体を導入する工程を包含する、請求項１１３に記載の大量の燃料を燃焼する方法。
【請求項２３４】
温度制御気体を導入する前記工程が、前記燃焼気体の燃焼特性より実質的に低い燃焼特性を有する温度制御気体を導入する工程を包含する、請求項２３３に記載の大量の燃料を燃焼する方法。
【請求項２３５】
温度制御気体を導入する前記工程が、前記燃焼気体の温度変化特性と実質的に異なる温度変化特性を有する温度制御気体を導入する工程を包含する、請求項２３３または２３４に記載の大量の燃料を燃焼する方法。
【請求項２３６】
前記複数の重複火格子エレメントが、複数の固定された重複火格子エレメントを備える、請求項１に記載の大量燃料燃焼炉。
【請求項２３７】
前記複数の固定された重複火格子エレメントが、それぞれ並進運動を抑止されている、請求項２３６に記載の大量燃料燃焼炉。
【請求項２３８】
前記複数の固定された重複火格子エレメントが、それぞれ回転運動を抑止されている、請求項２３６または２３７に記載の大量燃料燃焼炉。
【請求項２３９】
前記複数の火格子エレメントの各々の並進運動を抑止する工程をさらに包含する、請求項６１に記載の大量の燃料を燃焼する方法。
【請求項２４０】
前記複数の火格子エレメントの各々の回転運動を抑止する工程をさらに包含する、請求項６１または２３９に記載の大量の燃料を燃焼する方法。
【発明の詳細な説明】
【技術分野】
【０００１】
　本発明は、固体燃料（例えば、家庭廃棄物および産業廃棄物）を利用するように設計された改良定常燃焼装置に主に関し、そして種々の型の燃焼物のいずれをも（特に、粒子状）、この装置についての補給燃料供給として役立ち得ると理解される。本明細書中で言及される用語「大量の（ｍａｓｓ）燃料」は、表面上に静止するか、または表面上もしくはこれに沿って移動しながら燃焼される任意の物体を意味することが意図される。これは、この物体が、空気中で、表面より上に実質的に距離をおいて、ある目的で浮遊される方法と区別され得る。それはまた、燃焼の前に物体が断片化されることを必要とする方法とも区別され得る。本発明が利用され得る大量の（または塊状の）燃料適用物としては、エラストマー産物、石炭、石炭廃棄物、下水汚泥、バイオマス産物、都市の固体廃棄物、産業廃棄物、感染性廃棄物、および肥料が挙げられるが、これらに限定さない。一般的に、本発明は、大量の（または塊状の）燃料の燃焼についての装置および方法として利用され得る燃焼システムに関する。具体的に、本発明は、焼却炉または加熱炉（ｆｕｒｎａｃｅ）における火格子（ｇｒａｔｅ）アセンブリに関する、大量の燃料を有効に燃焼するための改良技術（広範に変化する燃焼特徴を潜在的に有する）を提供することを意図される。この燃焼システムは、現状の焼却炉または燃焼火格子アセンブリ、および大量の燃料を燃焼する現状の方法に対する改良であるように特別に設計されている。
【背景技術】
【０００２】
　特定の大量の燃料（例えば、廃物）を焼却するこの困難性は、周知である。廃物は、しばしば、高百分率の低焼却性物質または湿潤物質を含み、これらの物質は、燃焼を妨害しかつ不安定な焼却速度を示し得る。さらに、このような組成物は、天候、季節、収集される領域、保存される条件、ならびに他の制御不可能でかつ予測不可能な変数に伴なって連続的に変化し得る。
【０００３】
　廃物を焼却または燃焼する１つの公知の方法は、燃焼の間に燃料を支持するための燃焼火格子の使用を援用する。この方法は、燃焼火格子を２つまたは３つの別々の処理帯（ｚｏｎｅ）に分割することに関し得、そしてプレナム（ｐｌｅｎｕｍ）チャンバーまたは供給チャンバーを通して、燃焼の必要に適合させるための空気の特徴づけを変更させる、互いに異なるパラメータの下で燃焼空気を提供し得る。従って、新鮮な、非焼却の廃物を含有する第１帯における空気は、加熱されて捕捉された水分を乾燥し得、燃焼は、廃物が次の帯に侵入するまでおそらく開始せず、次の帯は、異なる空気混合物を供給され得る。種々の帯（ゾーン）における燃焼の制御は、時折、各帯に流れる空気の特徴を変化させることに限定されると考えられてきた。しかし、廃物層の厚さおよびその燃焼特徴が、任意の１つの帯を横切って均一でありはしないので、焼却時間は、より長くなり、火格子上の最遅燃焼領域によりおそらく決定され得る。
【０００４】
　従って、火格子表面をさらなる帯に分割しかつ燃焼効率を最大にするために各帯において燃焼の独立した制御を提供することが、望ましくあり得る。さらに、この制御は、可能な限り自動的で最適化され得、その結果、各帯は、燃料の最大スループットを得るように焼却の効率を最大にすることを試みて、連続的にモニターされかつ調節され得る。燃焼効率に関して、燃料のスループットは、投入供給材料の燃焼による処理、および／または、エネルギー源（例えば、焼却操作からの加熱された空気、水、または蒸気）の産生を含み得る。
【０００５】
　最適な焼却効率または燃焼効率は、大量の（塊状の）燃料を同時に混合するかまたは撹拌しそして焼却または燃焼することによって達成され得る。大量の燃料の撹拌かつ燃焼の同時工程は、先行する燃焼技術で以前に実行されてきたが、撹拌および燃焼の全体的な目的は、燃焼効率をさらに最適にするために種々のシステムにおいて実行され得る。特に、燃焼プロセスの間に、特異的な方法で燃料を混合または撹拌するための手段を提供することが、所望され得る。この結果は、全体的な燃焼効率が、改変されるような結果であり得る。
【０００６】
　本発明の前の、大量の燃料の撹拌を実行するためのしばしば利用可能な１つのシステムは、段階的燃焼火格子を提供することであるように思われ、それによって、この工程の一部またはすべてが、全体的な混合および優製な方向の燃料の移動を明らかに補助する様式で作動する。しかし、システムの経済性ならびにスループットまたは燃焼効率を可能な限り増強するために、移動式火格子システムよりもより低い機械的複雑性を採用する燃焼システムを提供することが、所望され得る。
【０００７】
　大量の燃料の混合または撹拌を達成するためのシステムは、撹拌の供給源のような火格子アセンブリを通して供給される燃焼空気を提供し得る。しかし、燃焼および撹拌の二重の目的のための燃焼空気の使用は、システムの最適化のさらなる問題を提示する。燃焼ならびに燃料撹拌のための１つの制御された空気供給源の使用は、燃焼または撹拌のいずれかの最適化を可能にしないかもしれない。特に、このシステムは、必要とされる燃焼空気流を維持し、全体的な燃焼プロセスを支持し得る。しかし、撹拌に必要とされる特定の要求は無視され得る。同様に、このシステムは、燃料の撹拌を実行するために必要とされる要求を維持し得る。しかし、燃焼のための適切な酸素対燃料比についての必要な要求は、過剰すぎるかまたは少なすぎる空気のいずれかで無視され得る。多くの例において燃料燃焼特徴を変更することに適応するための可能な必要性と組み合わせて、１つの空気供給での燃焼空気供給および燃料の撹拌の課題の両方を効率的に実行するための能力は妨げられる。従って、大量の燃料燃焼システムにおける効率的な燃焼空気供給および燃料撹拌の両方を達成し、全体的なシステム効率の改良を提供することが、所望される。
【０００８】
　特に、本発明の発明者によって以前に開発されかつ特許文献１および特許文献２（本明細書中に参考として援用される）として特許を受けている１つのシステムは、燃焼システムにおいて静止火格子アセンブリを組み込む、大量の燃料の燃焼のための装置および方法を開示する。このシステムは、段階的火格子アセンブリに沿った特定の位置において撹拌空気の導入のための穿孔支持管を備える傾斜アセンブリを含み得る。燃焼および撹拌は、制御された様式で火格子表面に沿って別々の処理帯において起こり得る。意図される問題のその対応において良好であるが、なお上記の参照された設計は改変され得る。それらは、今や可能であるけれども、火格子アセンブリに対する、燃焼空気および撹拌空気のための有効な導入供給源として提供しなかったかもしれない。システムのスループットまたは効率は、さらに、特定の火格子プレートによって規定される、最適化導入によって燃焼空気および撹拌空気を導入するためのシステムにおいて増強され得る。
【０００９】
　さらに、上記で参照された特許はまた、燃焼空気および混合空気制御以外に燃焼パラメーターの効率的な制御を最適に提供しないかもしれない。他のシステムパラメータは、モニターされかつ制御されて燃焼効率をさらに増強し得る。次いで、例として、これらに限定されないが、数あるなかで、燃焼チャンバー温度、チャンバー空気の酸素含有量、チャンバー空気中の一酸化炭素含有量、および大量の燃料供給速度のようなシステムパラメータに基づいて燃焼システムをモニターかつ制御することが、所望される。さらに、プロセスからの燃焼された空気の使用は、例として、これらに限定されないが、燃焼チャンバー温度制御のための再利用された空気のようなシステムパラメータをさらに増強するために使用され得る。システムパラメータは、さらに、燃焼システム内の空気導入の詳細な調整によって最適化され得る。従って、このシステムの燃焼パラメータをモニターおよび制御し得、かつ複数の空気供給源の効率的な使用および導入を通してパラメータを最適化し得る燃焼システムを提供することが、所望される。
【００１０】
　さらに、集塊化燃焼副生成物またはおそらくスラグでさえ、燃焼システム内で形成され、このシステム内に蓄積した使用済大量の燃料または燃焼された大量の燃料を生じ得る。従って、システム内の集塊化燃焼副生成物を効率的に除去し、未だ燃焼してない燃料またはその他のスループットを最適化する必要性が存在し得る。
【特許文献１】米国特許第４，９５５，２９６号明細書
【特許文献２】米国特許第５，０４４，２８８号明細書
【発明の開示】
【発明が解決しようとする課題】
【００１１】
　本発明は、先行する焼却システムまたは燃焼システムに伴って存在し得た不備に取り組む燃焼システムを提供する。従って、本発明は、大量燃料燃焼炉および大量の燃料を燃焼するための方法を提供する。
【００１２】
　従って、大量の燃料を燃焼するための改良された燃焼システムを提供することが、本発明の目的である。特に、大量の燃料の燃焼の制御において、応答のスピードおよび柔軟性を改良する、大量の燃料を燃焼するための燃焼システムを提供することが、本発明の目的である。従って、本発明の目標は、第２の撹拌気体を大量の燃料中に注入する燃焼システムを提供することであり得、この燃焼システムは、燃焼プロセスの間に、この燃料を持ち上げ、撹拌し、乾燥し、そして制御し得る。
【００１３】
　火格子アセンブリに代表的に付随する機械的移動の必要性またはその移動の程度を伴なわずに大量の燃料を燃焼するための燃焼システムを提供することが、本発明のさらなる目的であり得る。従って、本発明の目標は、火格子を高い程度まで「静止」であるようにする燃焼システムを提供することであり得る。
【００１４】
　燃焼プロセスに悪影響を与えずに、大量の燃料を燃焼するための燃焼システムを提供することが、本発明のさらなる目的であり得る。従って、本発明の目標は、有意に過剰な酸素（例えば、燃料導入システムにおける大気）の添加を制限する燃焼システムを提供することである。
【００１５】
　本発明のなお別の目的は、複数の注入点を用いる攪拌気体注入を提供する、大量の燃料を燃焼するための燃焼システムを提供すること、および各点における気体流の送達の速度を独立して制御することであり得る。従って、本発明の目標は、各点で混合気体の速度またはフローを制御する燃焼システムを提供すること、および材料の混合、乾燥、およびその移動速度の制御の課題を実施するために利用可能な力を提供することである。
【００１６】
　特に、燃焼気体および攪拌気体を導入するためのシステムにおいて、スループットおよび燃焼効率を高める、大量の燃料を燃焼するための燃焼システムを提供することが、本発明の目的であり得る。従って、本発明の目標は、特定の火格子板によって規定される攪拌気体導入を最適化する燃焼システムを提供することである。
【００１７】
　本発明のなお別の目的は、燃焼プロセスの間の熱放出速度の変化を最小にする燃焼システムを提供することである。従って、本発明の目標は、燃焼プロセスに対する燃料供給速度を制御する燃焼システムを提供することである。
【００１８】
　燃焼プロセスの間に、燃焼火格子を通して排出され得る集塊化燃焼副生成物の効果を最小にする、大量の燃料を燃焼するための燃焼システムを提供することが、本発明のさらなる目的である。従って、本発明の目標は、灰および集塊化燃焼副生成物の除去を効率的に提供する燃焼システムを提供することである。
【００１９】
　特に、複数のパラメーターを使用する燃焼プロセス全体を効率的に制御する、大量の燃料を燃焼するための燃焼システムを提供することが、本発明の１つの実施形態の目的である。従って、本発明の目標は、システム内のパラメーターをモニターおよび最適化する燃焼システムを提供することである。
【００２０】
　特に、効率的な燃焼制御およびその後の集塊化燃焼副生成物の除去のための複数の処理ゾーンを提供する、大量の燃料を燃焼するための燃焼システムを提供することが、本発明の目的であり得る。従って、本発明の目標は、複数の処理帯（各帯は、燃焼気体および攪拌気体の個別の導入を有する）、燃焼気体および攪拌気体の送達の独立した速度制御、および個別の集塊化燃焼副生成物の低減（ｒｅｄｕｃｔｉｏｎ）方法を提供することである。
【００２１】
　本発明の別の目的は、燃焼火格子表面上の温度制御を、燃焼プロセスの間、提供する、大量の燃料を燃焼するための燃焼システムを提供することである。従って、本発明の目標は、排出気体、攪拌気体および他のタイプの制御を使用する燃焼システムを提供することである。
【００２２】
　本発明の他の目的は、明細書の他の部分および特許請求の範囲を通して開示される。さらに、目標および目的は、種々の実施形態において、種々の他の目標および目的に、依存した形式または独立した様式のいずれかで、適用し得る。
【課題を解決するための手段】
【００２３】
　本発明は、以下を提供する：
　１．　大量燃料燃焼炉であって、以下：
　ａ．大量燃料供給エレメント；
　ｂ．該大量燃料供給エレメントから大量の燃料を受容するように位置付けされる、燃焼チャンバー；
　ｃ．該燃焼チャンバー内にあり、そして入口端、出口端、および大量の燃料が横切って運搬される該入口端と該出口端との間に長さを設置する、複数の重複火格子エレメント；
　ｄ．該燃焼チャンバー内にある、燃焼気体供給；
　ｅ．重複セグメントの各対の間に空間を形成している該複数の重複火格子エレメントの複数の重複セグメントであって、ここで該燃焼気体供給が、該複数の空間を通じて燃焼気体を導入するために位置付けされる、セグメント；
　ｆ．該燃焼チャンバー内にある第２の気体供給；
　ｇ．第２の気体を、該第２の気体供給から、重複火格子エレメントの該長さを横切って運搬される該大量の燃料に導入するための、該複数の重複火格子エレメント内にある複数のアパーチャ；および　
　ｈ．該複数の重複固定火格子エレメントの該出口端の付近に位置する、灰排出システム、
を備える、大量燃料燃焼炉。
【００２４】
　２．　前記燃焼気体が燃焼空気を含む、請求項１に記載の大量燃料燃焼炉。
【００２５】
　３．　前記複数の重複火格子エレメントが実質的に障害とならない平面表面を形成する、請求項１に記載の大量燃料燃焼炉。
【００２６】
　４．　前記複数の重複火格子エレメントの各々が実質的に平面の重複火格子エレメントを備える、項３に記載の大量燃料燃焼炉。
【００２７】
　５．　再循環燃焼気体供給を前記燃焼チャンバー内にさらに備える、項１に記載の大量燃料燃焼炉。
【００２８】
　６．　前記複数の重複火格子エレメントが、該複数の重複火格子エレメントの少なくとも２つの間にインターロックシステムをさらに備える、項４に記載の大量燃料燃焼炉。
【００２９】
　７．　前記インターロックシステムが、平面制限エレメントを含む、項６に記載の大量燃料燃焼炉。
【００３０】
　８．　前記インターロックシステムが、前記複数の重複火格子エレメントの各々において供給を備える、項６に記載の大量燃料燃焼炉。
【００３１】
　９．　項６に記載の大量燃料燃焼炉であって、そして複数の重複火格子エレメントの少なくとも１つに対して必須の複数の一体型リブをさらに備える、大量燃料燃焼炉。
【００３２】
　１０．　項１に記載の大量燃料燃焼炉であって、そして重複セグメントの各対の間の前記空間を設置する重複スペーサーをさらに備える、大量燃料燃焼炉。
【００３３】
　１１．　項１０に記載の大量燃料燃焼炉であって、ここで重複セグメントの各対の間に前記空間を設置する前記重複スペーサーが、前記複数の重複火格子エレメントの少なくとも１つに対して必須のインテグラルスペーサーを備える、大量燃料燃焼炉。
【００３４】
　１２．　項２に記載の大量燃料燃焼炉であって、そして前記複数の重複火格子エレメントの下に位置している燃焼空気プレナムをさらに備え、該燃焼空気プレナムが前記燃焼空気を含む、大量燃料燃焼炉。
【００３５】
　１３．　項２に記載の大量燃料燃焼炉であって、そして前記燃焼空気が応答性である気体パルスシステムをさらに備える、大量燃料燃焼炉。
【００３６】
　１４．　前記燃焼チャンバー内に燃焼後気体供給をさらに備える、項１に記載の大量燃料燃焼炉
　１５．　前記再循環燃焼気体供給が、前記燃焼チャンバー内に燃焼後気体供給を備える、項５に記載の大量燃料燃焼炉。
【００３７】
　１６．　項１に記載の大量燃料燃焼炉であって、そして、少なくとも１つの前記重複火格子エレメントに隣接し、そして前記第２の気体供給に対して応答性である、第２の気体プレナムをさらに備える、大量燃料燃焼炉。
【００３８】
　１７．　項１６に記載の大量燃料燃焼炉であって、そして前記第２の気体が応答性である第２の気体パルスシステムをさらに備える、大量燃料燃焼炉。
【００３９】
　１８．　項１７に記載の大量燃料燃焼炉であって、ここで前記第２の気体パルスシステムが、前記第２の気体プレナムが応答性である少なくとも１つのポペットエレメントを備える、大量燃料燃焼炉。
【００４０】
　１９．　項１８に記載の大量燃料燃焼炉であって、ここで前記第２の気体プレナムが応答性である前記ポペットエレメントは、以下：
　ａ．末端開口部を有する気体ハウジング；
　ｂ．該気体ハウジングの該末端開口部に隣接して位置付けされる制御可能キャップ；および
　ｃ．該気体ハウジングの該末端開口部と該制御可能キャップとの間に位置付けされるシール、
を備える、大量燃料燃焼炉。
【００４１】
　２０．　前記燃焼気体供給が、前記第２の気体パルスシステムから独立している、項１８に記載の大量燃料燃焼炉。
【００４２】
　２１．　項１に記載の大量燃料燃焼炉であって、そして少なくともいくつかの前記複数の重複火格子エレメントが応答性である振動エレメントをさらに備える、大量燃料燃焼炉。
【００４３】
　２２．　項２１に記載の大量燃料燃焼炉であって、ここで前記複数の火格子エレメントが、前記振動エレメントに対して各々個々に応答性であり、そして独立して制御可能である複数の振動火格子帯を備える、大量燃料燃焼炉。
【００４４】
　２３．　項１に記載の大量燃料燃焼炉であって、そして燃焼制御システムをさらに備える、大量燃料燃焼炉。
【００４５】
　２４．　項１４に記載の大量燃料燃焼炉であって、そして燃焼制御システムをさらに備える、大量燃料燃焼炉。
【００４６】
　２５．　前記燃焼チャンバー内の状態に対して応答性である少なくとも１つの温度センサーをさらに備え、該温度センサーに対して前記燃焼制御システムが応答性である、項２３または２４に記載の大量燃料燃焼炉。
【００４７】
　２６．　項２５に記載の大量燃料燃焼炉であって、ここで前記少なくとも１つの温度センサーが前記燃焼チャンバー内の状態に対して応答性であり、かつ前記燃焼制御システムが、該温度センサーに対して応答性である、以下を含む大量燃料燃焼炉：
　ａ．  該燃焼チャンバー状態に対して応答性である第１の温度センサーであって、かつ該燃焼制御システムが、該温度センサーに対して応答性である、第１の温度センサー；および
　ｂ．該燃焼チャンバー内の状態に対して応答性である第２の温度センサーであって、かつ該燃焼制御システムがまた、該第２の温度センサーに対して応答性である、第２の温度センサー。
【００４８】
　２７．　項２６に記載の大量燃料燃焼炉であって、ここで前記第１の温度センサーは前記燃焼チャンバー内の状態に対して応答性であり、かつ前記燃焼制御システムは、該第１の温度センサーに対して応答性であり、該第１の温度センサーは燃焼温度センサーを備え、そしてここで前記第２の温度センサーは、該燃焼チャンバー内の状態に対して応答性であり、かつ該燃焼制御システムはまた、該第２の温度センサー対して応答性であり、該第２の温度センサーは、燃焼後温度センサーを備える、大量燃料燃焼炉。
【００４９】
　２８．　項２３または２４に記載の大量燃料燃焼炉であって、ここで前記燃焼制御システムは、燃焼パラメーター調整システムを備える、大量燃料燃焼炉。
【００５０】
　２９．　項２３または２４に記載の大量燃料燃焼炉であって、ここで前記燃焼制御システムが以下からなる群より選択されるシステムに対して応答性を有する、大量燃料燃焼炉：前記大量燃料供給エレメント、前記燃焼気体供給、前記第２の気体供給、前記燃焼後気体供給、前記灰排出システム、チャンバー冷却システム、チャンバー冷却気体供給、前記灰排出システム、運搬システムの速度、振動システム、火格子振動システム、ローラーエレメント、およびこのようなシステムの任意の組み合わせまたは錯列。
【００５１】
　３０．　項２９に記載の大量燃料燃焼炉であって、ここで前記燃焼制御システムが、以下からなる群より選択される燃焼パラメーターに対して応答性である制御システムを備える、大量燃料燃焼炉：酸素含有量、一酸化炭素含有量、炉圧、温度、燃焼温度、燃焼後温度、燃料供給速度と燃焼気体供給速度との間の関係およびこのようなパラメーターの任意の組み合わせまたは錯列。
【００５２】
　３１．　項２３または２４に記載の大量燃料燃焼炉であって、ここで前記燃焼制御システムが、以下からなる群から選択されるパラメーターに対して応答性を有する、大量燃料燃焼炉：燃料供給速度、炉熱放出速度、気体パルス周波数、気体フロー速度、燃焼気体フロー速度、第２の気体フロー速度、灰排出速度、大量の燃料運搬速度、振動強度、振動周波数、振動場所、振動タイミング、ローラースピード、ローラー深度、大量の燃料深度およびこのようなパラメーターの任意の組み合わせまたは錯列。
【００５３】
　３２．　前記灰排出システムがローラーを備える、項１に記載の大量燃料燃焼炉。
【００５４】
　３３．　項３２に記載の大量燃料燃焼炉であって、ここで前記ローラーが隣接可能なローラーを備え、前記火格子システムにおける燃料の量が、該隣接可能なローラーに対して応答性である、大量燃料燃焼炉。
【００５５】
　３４．　項３２に記載の大量燃料燃焼炉であって、ここで前記灰排出システムが、前記ローラーに隣接して位置付けされる旋回可能なプレートをさらに備える、大量燃料燃焼炉。
【００５６】
　３５．　項１に記載の大量燃料燃焼炉であって、ここで前記大量燃料供給エレメントが、低部空気導入大量燃料供給システムを備える、大量燃料燃焼炉。
【００５７】
　３６．　項３１に記載の大量燃料燃焼炉であって、ここで前記大量燃料供給エレメントが、低部空気導入大量燃料供給システムを備える、大量燃料燃焼炉。
【００５８】
　３７．　大量燃料燃焼炉であって、以下：
　ａ．大量燃料供給エレメント；
　ｂ．該大量燃料供給エレメントから大量の燃料を受容するために位置付けされる燃焼チャンバー；
　ｃ．該燃焼チャンバー内にあり、かつ入口端および出口端を有する火格子システム；
　ｄ．複数の独立して制御可能な振動エレメントであって、これに対して該火格子システムが応答性である、制御可能な振動エレメント；
　ｅ．該燃焼チャンバー内の燃焼気体供給；および
　ｆ．該火格子システムの該出口端の付近に位置する灰排出システム、
を含む、大量燃料燃焼炉。        
【００５９】
　３８．　前記火格子システムは、複数の重複火格子エレメントを備える、項３７に記載の大量燃料燃焼炉。
【００６０】
　３９．　項３８に記載の大量燃料燃焼炉であって、ここで前記複数の重複火格子エレメントが複数の火格子帯を備え、該複数の火格子帯は、前記複数の独立して制御可能な振動エレメントの少なくとも一部に対して、各々個々に応答性である、大量燃料燃焼炉。
【００６１】
　４０．　項３９に記載の大量燃料燃焼炉であって、そして複数の振動相互連絡エレメントをさらに備え、該複数の振動相互連絡エレメントの各々に対して、前記複数の重複火格子エレメントの少なくとも一部が応答性である、大量燃料燃焼炉。
【００６２】
　４１．　項４０に記載の大量燃料燃焼炉であって、ここで前記複数の振動相互連絡エレメントの少なくとも一部が、前記複数の独立して制御可能な振動エレメントの各々に対して応答性である、大量燃料燃焼炉。
【００６３】
　４２．　前記複数の振動相互連絡エレメントの各々がロッドを備える、項４１に記載の大量燃料燃焼炉。
【００６４】
　４３．　項４２に記載の大量燃料燃焼炉であって、ここで前記重複火格子エレメントが、リブエレメントをさらに備え、該リブエレメントの各々が、前記相互連絡エレメントの一つに対して応答性である、大量燃料燃焼炉。　
【００６５】
　４４．　項３７に記載の大量燃料燃焼炉であって、ここで前記火格子システムが複数の振動火格子帯を備え、該複数の振動火格子帯は、前記複数の独立して制御可能な振動エレメントの一つに対して各々個々に応答性である、大量燃料燃焼炉。
【００６６】
　４５．　大量燃料燃焼炉が以下：
　ａ．大量燃料供給エレメント；
　ｂ．該大量燃料供給エレメントから大量の燃料を受容するために位置付けされる燃焼チャンバー；
　ｃ．該燃焼チャンバー内にあり、かつ入口端および出口端を有する火格子システムであって、該火格子システムを横切って該大量の燃料が運搬される、火格子システム；
　ｄ．該燃焼チャンバー内にある、燃焼気体供給；
　ｅ．該燃焼気体供給から独立している該燃焼チャンバー内にある温度制御気体供給；
　ｆ．該火格子システムの該出口端の付近に位置する、灰排出システム、
を備える、大量燃料燃焼炉。
【００６７】
　４６．　前記燃焼チャンバー内にある前記温度制御気体供給が、実質的に不燃性の気体の供給を備える、項４５に記載の大量燃料燃焼炉。
【００６８】
　４７．　前記実質的に不燃性の気体の供給が、前記燃焼チャンバー内に再循環燃焼気体供給を備える、項４６に記載の大量燃料燃焼炉。
【００６９】
　４８．　項４５に記載の大量燃料燃焼炉であって、そして該大量燃料燃焼炉は、前記燃焼チャンバー内に燃料混合気体供給をさらに備え、そしてここで該燃焼チャンバー内にある前記温度制御気体供給は、前記燃焼気体供給および該燃料混合気体供給の両方から独立している温度制御気体供給を備える、大量燃料燃焼炉。
【００７０】
　４９．　前記燃焼チャンバー内にある前記温度制御気体供給が冷却気体供給を備える、項４５に記載の大量燃料燃焼炉。
【００７１】
　５０．　前記冷却気体供給が再循環気体供給を備える、項４９に記載の大量燃料燃焼炉。
【００７２】
　５１．　前記燃焼チャンバー内にある前記温度制御気体供給が、該燃焼チャンバー内に燃焼後気体供給を備える、項４５に記載の大量燃料燃焼炉。
【００７３】
　５２．　項４５または５１に記載の大量燃料燃焼炉であって、ここで前記燃焼チャンバー内にある前記温度制御気体供給は、前記火格子システムの上に位置付けされる頂部気体供給を備える、大量燃料燃焼炉。
【００７４】
　５３．　項４５または５１に記載の大量燃料燃焼炉であって、ここで前記燃焼チャンバー内にある前記温度制御気体供給は、前記火格子システムの下に位置付けされる気体供給を備える、大量燃料燃焼炉。
【００７５】
　５４．　前記大量燃料供給エレメントが低部空気導入大量燃料供給システムを備える、項４５に記載の大量燃料燃焼炉。
【００７６】
　５５．　前記燃焼チャンバー内にある前記温度制御気体供給が、集塊化燃焼副生成物低減システムを備える、項４５に記載の大量燃料燃焼炉。
【００７７】
　５６．　前記集塊化燃焼副生成物低減システムが集塊化燃焼副生成物低減再循環気体供給を備える、項５５に記載の大量燃料燃焼炉。
【００７８】
　５７．　前記集塊化燃焼副生成物低減気体供給が再循環気体供給を備える、項５６に記載の大量燃料燃焼炉。
【００７９】
　５８．　大量燃料燃焼炉であって、以下：
　ａ．大量燃料供給エレメント；
　ｂ．該大量燃料供給エレメントから大量の燃料を受容するように位置付けされる、燃焼チャンバー；
　ｃ．該燃焼チャンバー内にあり、かつ入口端および出口端を有する火格子システムであって、該火格子システムを横切って該大量の燃料が運搬される、火格子システム；
　ｄ．該燃焼チャンバー内にある、燃焼気体供給；
　ｅ．該燃焼チャンバー内にある、混合気体供給；
　ｆ．該燃焼気体供給から独立している独立混合気体パルスシステムであって、該独立混合気体パルスシステムに対して、該混合気体供給が応答性である、独立混合気体パルスシステム；
　ｇ．該火格子システムの該出口端の付近に位置する、灰排出システム、
を備える、大量燃料燃焼炉、
　５９．　独立燃焼気体パルスシステムをさらに備える項４５に記載の大量燃料燃焼炉であって、該独立燃焼気体パルスシステムが前記混合気体供給から独立し、そして該独立燃焼気体パルスシステムに対して前記燃焼気体供給が応答性である、大量燃料燃焼炉。
【００８０】
　６０．　気体パルスシステムをさらに備え、該気体パルスシステムに対して、前記気体供給のうち少なくとも１つが応答性である、項４５に記載の大量燃料燃焼炉。
【００８１】
　６１．　前記気体供給のうち少なくとも１つが応答性である前記気体パルスシステムが、可変気体パルスシステムを備える、項６０に記載の大量燃料燃焼炉。
【００８２】
　６２．　大量燃料燃焼炉であって、以下：
　ａ．大量燃料供給エレメント；
　ｂ．該大量燃料供給エレメントから大量の燃料を受容するように位置付けされる、燃焼チャンバー；
　ｃ．該燃焼チャンバー内にあり、かつ入口端および出口端を有する火格子システムであって、該火格子システムを横切って該大量の燃料が運搬される、火格子システム；
ｄ．該燃焼チャンバー内にある第１の気体供給；　
ｅ．該燃焼チャンバー内にある第２の気体供給　；
ｆ．該第１の気体供給のみが応答性である、第１の気体パルスシステム；
ｇ．該第２の気体供給のみが応答性である、第２の気体パルスシステム；および
ｈ．該火格子システムの該出口端の付近に位置する、灰排出システム、
を備える、大量燃料燃焼炉。
【００８３】
　６３．　前記気体パルスシステムが、気体供給が応答性であるポペットエレメントを備える、項５８または６２に記載の大量燃料燃焼炉。
【００８４】
　６４．　前記気体パルスシステムが、気体供給が応答性である複数の独立して制御可能なポペットエレメントを備える、項５８または６２に記載の大量燃料燃焼炉。
【００８５】
　６５．　項６４に記載の大量燃料燃焼炉であって、ここで前記気体供給が応答性である前記ポペットエレメントの少なくとも１つが、以下：
　ａ．末端開口部を有する気体ハウジング；
　ｂ．該気体ハウジングの該末端開口部に隣接して位置付けされる制御可能キャップ；および
　ｃ．該気体ハウジングの該末端開口部と該制御可能キャップとの間に位置付けされるシール、
を備える、大量燃料燃焼炉。
【００８６】
　６６．　大量の燃料を燃焼する方法であって、該方法は、以下の工程：
　ａ．大量の燃料を受容するように位置付けされる燃焼チャンバーを提供する工程；
ｂ．該燃焼チャンバー内に火格子システムを設置するために複数の火格子エレメントを重複する工程；
ｃ．該複数の重複火格子エレメントを重複する該工程の結果として、該火格子システムにおいて複数の空間を設置する工程；
ｄ．該複数の重複火格子エレメントにおいて、複数のアパーチャを提供する工程；
ｅ．大量の燃料を、該燃焼チャンバーへ供給する工程；
ｆ．該火格子システムにおいて該複数の空間を通じて、燃焼気体を導入する工程；
ｇ．該燃焼チャンバー内にある該複数の重複火格子エレメントにおいて、該複数のアパーチャを通じて第２の気体を導入する工程；
ｈ．該火格子システムを横切って、該大量の燃料を運搬する工程；
ｉ．該大量の燃料の少なくとも一部を燃焼し、燃焼生成物を生成する工程；および
ｊ．該燃焼生成物を排出する工程、
を包含する、方法。
【００８７】
　６７．　項６６に記載の大量の燃料を燃焼する方法であって、ここで該火格子システムにおいて前記複数の空間を通じて燃焼気体を導入する前記工程が、該火格子システムにおける該複数の空間を通じて燃焼空気を導入する工程を包含する、方法。
【００８８】
　６８．　項６６に記載の大量の燃料を燃焼する方法であって、ここで燃焼チャンバー内に火格子システムを設置するために複数の火格子エレメントを重複する前記工程が、該燃焼チャンバー内に実質的に平面の火格子システムを設置する工程を包含する、方法。
【００８９】
　６９．　項６８に記載の大量の燃料を燃焼する方法であって、ここで燃焼チャンバー内に火格子システムを設置するための複数の火格子エレメントを重複する前記工程が、燃焼チャンバー内に前記実質的に平面の火格子システムを設置するために、複数の実質的に平面の火格子エレメントを重複する工程を包含する、方法。
【００９０】
　７０．　項６９に記載の大量の燃料を燃焼する方法であって、ここで該大量の燃料の少なくとも一部分を燃焼して燃焼生成物を生成する前記工程は、前記燃焼空気を利用し、そして該燃焼空気が、該大量の燃料の少なくとも一部を燃焼して燃焼生成物を生成する工程に使用された後の該燃焼空気を再循環する工程をさらに包含する、方法。
【００９１】
　７１．　燃焼チャンバー内にある前記複数の火格子エレメントをインターロックする工程をさらに包含する、項６９に記載の大量の燃料を燃焼する方法。
【００９２】
　７２．　平面表面内にある前記複数の火格子エレメントを制限する工程をさらに包含する、項７１に記載の大量の燃料を燃焼する方法。
【００９３】
　７３．　前記複数の火格子エレメントにおける少なくとも１つの一体型リブを通じて熱を消失する工程をさらに包含する、項７１に記載の大量の燃料を燃焼する方法。
【００９４】
　７４．　項６６に記載の大量の燃料を燃焼する方法であって、前記複数の重複火格子エレメントを重複する工程の結果として、前記火格子システムにおいて複数の空間を設置する前記工程が、火格子エレメント間の重複スペーサーを利用する工程を包含する、方法。
【００９５】
　７５．　項６７に記載の大量の燃料を燃焼する方法であって、ここで前記火格子システムにおける前記複数の空間を通じて燃焼気体を導入する前記工程が、該火格子システムの下のプレナムを通じて、前記燃焼空気を分配する工程を包含する、方法。
【００９６】
　７６．　前記燃焼気体をパルス化する工程をさらに包含する、項６７に記載の大量の燃料を燃焼する方法。
【００９７】
　７７．　項６６に記載の大量の燃料を燃焼する方法であって、前記燃焼生成物が存在する場所において、第３の気体を導入する工程をさらに包含する、方法。
【００９８】
　７８．　項７０に記載の大量の燃料を燃焼する方法であって、ここで前記燃焼空気が、該大量の燃料の少なくとも一部分を燃焼し、燃焼生成物を生成する前記工程において使用された後に、該燃焼空気を再循環する工程が、該燃焼生成物が存在する場所において再循環気体を導入する工程を包含する、方法。
【００９９】
　７９．　項６６に記載の大量の燃料を燃焼する方法であって、ここで前記燃焼チャンバー内にある前記複数の重複火格子エレメントにおいて、前記複数のアパーチャを通じて第２の気体を導入する前記工程は、該重複火格子エレメントの各々の下のプレナムを通じて、前記第２の空気を分配する工程を包含する、方法。
【０１００】
　８０．　前記第２の気体をパルス化する工程をさらに包含する、項７９に記載の大量の燃料を燃焼する方法
　８１．　前記第２の気体をパルス化する工程が、前記燃焼気体から独立している該第２の気体をパルス化する工程を包含する、項８０に記載の大量の燃料を燃焼する方法。
【０１０１】
　８２．　前記火格子システムの少なくとも一部を振動する工程をさらに包含する、項６６に記載の大量の燃料を燃焼する方法。
【０１０２】
　８３．　複数の振動エレメントを提供する工程をさらに包含する項８２に記載の大量の燃料を燃焼する方法であって、そしてここで振動する前記工程が、前記複数の振動エレメントの各々を独立して制御する工程を包含する、方法。
【０１０３】
　８４．　前記大量の燃料の少なくとも一部を燃焼し、燃焼生成物を生成する前記工程が達成されながら、該大量の燃料の少なくとも一部を燃焼し、燃焼生成物を生成する該工程が達成されるレベルを積極的に制御する工程をさらに包含する、項６６に記載の大量の燃料を燃焼する方法。
【０１０４】
　８５．　前記大量の燃料の少なくとも一部分を燃焼し、燃焼生成物を生成する前記工程が達成されながら、該大量の燃料の少なくとも一部分を燃焼し、燃焼生成物を生成する該工程が達成されるレベルを積極的に制御する工程をさらに包含する、項７７に記載の大量の燃料を燃焼する方法。
【０１０５】
　８６．　前記大量の燃料の少なくとも一部を燃焼し、燃焼生成物を生成する前記工程が達成されながら、該大量の燃料の少なくとも一部分を燃焼し、燃焼生成物を生成する前記工程が達成されるレベルを積極的に制御する前記工程が、前記燃焼チャンバーにおいて温度を感知する工程を包含する、項８４または８５に記載の大量の燃料を燃焼する方法。
【０１０６】
　８７．　項８６に記載の大量の燃料を燃焼する方法であって、ここで前記燃焼チャンバーの温度を感知する前記工程が、以下の工程：
ａ．該燃焼チャンバーの第１の温度を感知する工程；および
ｂ．該燃焼チャンバーの第２の温度を感知する工程、
を包含する、方法。
【０１０７】
　８８．　前記燃焼チャンバーにおける第１の温度を感知する前記工程が、該燃焼チャンバーにおける燃焼温度を感知する工程を包含し、そして該燃焼チャンバーにおける第２の温度を感知する前記工程が、該燃焼チャンバーにおける燃焼後温度を感知する工程を包含する、項８７に記載の大量の燃料を燃焼する方法。
【０１０８】
　８９．　前記大量の燃料の少なくとも一部分を燃焼し、燃焼生成物を生成する前記工程が達成されながら、該大量の燃料の少なくとも一部分を燃焼し、燃焼生成物を生成する該工程が達成されるレベルを積極的に制御する工程が、前記燃焼チャンバーの少なくとも１つのシステムパラメーター調整する工程を包含する、項８４または８５に記載の大量の燃料を燃焼する方法。
【０１０９】
　９０．　項８９に記載の大量の燃料を燃焼する方法であって、ここで前記燃焼チャンバーの少なくとも１つのシステムパラメーターを調整する工程が、以下からなる群より選択されるシステムパラメーターを調整する工程を包含する、方法：大量の燃料を該燃焼チャンバー中に供給する前記工程、前記火格子システムにおける前記複数の空間を通じて、燃焼気体を導入する前記工程、前記燃焼チャンバー内にある前記複数の重複火格子エレメントにおける前記複数のアパーチャを通じて、第２の気体を導入する前記工程、該燃焼チャンバーへ燃焼後気体を導入する工程、該燃焼チャンバーを冷却する工程、該燃焼チャンバー内にある酸素含有量を制御する工程、燃焼気体酸素含有量を制御する工程、該燃焼チャンバー内にある一酸化炭素含有量を制御する工程、燃焼気体一酸化炭素含有量を制御する工程、該燃焼チャンバー内の温度を制御する工程、該燃焼チャンバー内の燃焼温度を制御する工程、該燃焼チャンバー内の燃焼後温度を制御する工程、該燃焼チャンバーへ大量の燃料を供給する前記工程と前記火格子システムにおける前記複数の空間を通じて燃焼気体を導入する前記工程との間の関係を制御する工程、灰排出速度を制御する工程、大量の燃料の運搬速度を制御する工程、振動強度を制御する工程、振動周波数を制御する工程、振動場所を制御する工程、振動タイミングを制御する工程、ローラースピードを制御する工程、ローラー深度を制御する工程、大量の燃料深度を制御する工程、およびこのような工程の任意の組み合わせまたは錯列。　
【０１１０】
　９１．　前記火格子システムの出口端におけるローラーの操作により、該火格子システムにおける前記大量の燃料の深度を制御する工程をさらに包含する、項６６に記載の大量の燃料を燃焼する方法。
【０１１１】
　９２．　前記火格子システムの出口端におけるローラーの操作により、該火格子システムにおける前記大量の燃料の深度を制御する工程が、該ローラーを調節する工程を包含する、項９１に記載の大量の燃料を燃焼する方法。
【０１１２】
　９３．　前記ローラーと前記火格子システムとの間の連絡を維持する工程をさらに包含する、項９１に記載の大量の燃料を燃焼する方法。
【０１１３】
　９４．　項６６に記載の大量の燃料を燃焼する方法であって、ここで大量の燃料を前記燃焼チャンバーへ供給する前記工程が、該大量の燃料と共に該燃焼チャンバー中へ導入される空気の量を制限する工程を包含する、方法。
【０１１４】
　９５．　項９０に記載の大量の燃料を燃焼する方法であって、ここで大量の燃料を前記燃焼チャンバーへ供給する前記工程が、該大量の燃料と共に該燃焼チャンバー中へ導入される空気の量を制限する工程を包含する、方法。
【０１１５】
　９６．　大量の燃料を燃焼する方法であって、該方法は、以下の工程：
　ａ．大量の燃料を受容するように位置付けされる燃焼チャンバーを提供する工程；
ｂ．該燃焼チャンバー内に火格子システムを提供する工程；
ｃ．大量の燃料を該火格子システムへ供給する工程；
ｄ．該大量の燃料を実質的に燃焼する工程；
ｅ．複数の振動エレメントを提供する工程；
ｆ．該複数の振動エレメントの各々を独立して制御する工程；および
ｇ．該火格子システムの少なくとも一部を振動する工程、
を包含する、方法。
【０１１６】
　９７．　項９６に記載の大量の燃料を燃焼する方法であって、そして以下の工程：　
　ａ．燃焼される大量の燃料を形成する工程；および　
　ｂ．前記火格子システムを振動する前記工程の結果として、該燃焼される大量の燃料を攪拌する工程、
をさらに包含する、方法。
【０１１７】
　９８．　項９７に記載の大量の燃料を燃焼する方法であって、燃焼される大量の燃料を形成する前記工程を達成する場合、燃焼されない材料を形成する工程をさらに包含する、方法。
【０１１８】
　９９．　前記火格子システムを振動する前記工程の結果として、前記燃焼されない材料を攪拌する工程をさらに包含する、項９８に記載の大量の燃料を燃焼する方法。
【０１１９】
　１００．　燃焼される大量の燃料を形成する前記工程が、集塊化燃焼副生成物を形成する工程を包含する、項９７に記載の大量の燃料を燃焼する方法。
【０１２０】
　１０１．　項１００に記載の大量の燃料を燃焼する方法であって、ここで前記燃焼される大量の燃料を攪拌する前記工程が、前記集塊化燃焼副生成物を攪拌する工程を包含する、方法。
【０１２１】
　１０２．　前記燃焼チャンバーから前記集塊化燃焼副生成物を除去する工程をさらに包含する、項１０１に記載の大量の燃料を燃焼する方法。
【０１２２】
　１０３．　前記振動する工程、前記攪拌する工程および前記除去する工程を繰り返す工程をさらに包含する、項１０２に記載の大量の燃料を燃焼する方法。
【０１２３】
　１０４．　除去する前記工程が、振動する工程および攪拌する工程を繰り返す前記工程の間に、前記燃焼チャンバーから前記集塊化燃焼副生成物を除去する工程を包含する、項１０３に記載の大量の燃料を燃焼する方法。
【０１２４】
　１０５．　前記供給する工程、前記実質的に燃焼する工程、および前記形成する工程を繰り返す工程をさらに包含する、項１００に記載の大量の燃料を燃焼する方法。
【０１２５】
　１０６．　前記燃焼される大量の燃料を攪拌する前記工程が、前記集塊化燃焼副生成物を攪拌する工程を包含する、項１０５に記載の大量の燃料を燃焼する方法。
【０１２６】
　１０７．　前記燃焼チャンバーから前記集塊化燃焼副生成物を除去する工程をさらに包含する、項１０６に記載の大量の燃料を燃焼する方法。
【０１２７】
　１０８．　前記振動する工程、前記攪拌する工程および前記除去する工程を繰り返す工程をさらに包含する、項１０７に記載の大量の燃料を燃焼する方法。
【０１２８】
　１０９．　振動する工程および攪拌する工程を繰り返す前記工程の間に、前記燃焼チャンバーから前記集塊化燃焼副生成物除去する工程をさらに包含する、項１０８に記載の大量の燃料を燃焼する方法。
【０１２９】
　１１０．　項９９に記載の大量の燃料を燃焼する方法であって、ここで前記火格子システムが、前記入口端と前記出口端との間に長さを有し、そして、ここで攪拌する前記工程が、該火格子システムの該長さに沿って、前記燃焼される大量の燃料を撹拌しながら運搬する工程を包含する、方法。　
【０１３０】
　１１１．　攪拌する前記工程が、燃焼される大量の燃料を前記燃焼チャンバーから攪拌しながら除去する工程をさらに包含する、項１１０に記載の大量の燃料を燃焼する方法。
【０１３１】
　１１２．　燃焼される大量の燃料を形成する前記工程が、集塊化燃焼副生成物を形成する工程を包含する、項１１１に記載の大量の燃料を燃焼する方法。
【０１３２】
　１１３．　火格子システムを提供する前記工程が、前記複数の振動エレメントに対して応答性の複数の火格子エレメントを提供する工程を包含する、項１００に記載の大量の燃料を燃焼する方法。
【０１３３】
　１１４．　振動する前記工程が、前記振動エレメントの各々と共に前記複数の火格子エレメントの少なくとも一部分を振動する工程を包含する、項１１３に記載の大量の燃料を燃焼する方法。
【０１３４】
　１１５．　振動する前記工程が、前記複数の振動エレメントの各々を独立して制御する工程を包含する、項１１４に記載の大量の燃料を燃焼する方法。
【０１３５】
　１１６．　火格子システムを提供する前記工程が、複数の前記火格子エレメントが応答性である複数の相互連絡エレメントを提供する工程を包含する、項１１３に記載の大量の燃料を燃焼する方法。
【０１３６】
　１１７．　振動する前記工程が、前記振動エレメントの各々と共に前記複数の相互連絡エレメントの少なくとも一部を振動する工程を包含する、項１１６に記載の大量の燃料を燃焼する方法。
【０１３７】
　１１８．　大量の燃料を燃焼する方法であって、該方法は、以下の工程：
　ａ．大量の燃料を受容するように位置付けされる燃焼チャンバーを提供する工程；
　ｂ．該燃焼チャンバー内に火格子システムを設置する工程；
　ｃ．該燃焼チャンバー内にある該火格子システム上へ大量の燃料を供給する工程；
　ｄ．該火格子システムを横切って該大量の燃料を運搬する工程；
　ｅ．該燃焼チャンバー中へ燃焼気体を導入する工程；
　ｆ．該大量の燃料の少なくとも一部を燃焼し、燃焼生成物を生成する、工程；
　ｇ．該燃焼気体を該燃焼チャンバー中へ導入する前記工程から独立している、該燃焼チャンバー内に温度制御気体を導入する工程；
　ｈ．該温度制御気体を介して該燃焼チャンバー内の温度を制御する工程；および
　ｉ．該燃焼生成物を排出する工程、
を包含する、方法。
【０１３８】
　１１９．　項１１８に記載の大量の燃料を燃焼する方法であって、ここで温度制御気体を前記燃焼チャンバー中へ導入する前記工程が、該燃焼チャンバー中へ実質的に不燃性の気体を導入する工程を包含する、方法。
【０１３９】
　１２０．　実質的に不燃性の気体を前記燃焼チャンバー中へ導入する前記工程が　該燃焼チャンバー内に再循環燃焼気体を導入する工程を包含する、項１１９に記載の大量の燃料を燃焼する方法。
【０１４０】
　１２１．　項１１８に記載の大量の燃料を燃焼する方法であって、混合気体を前記燃焼チャンバー中へ導入する工程をさらに包含し、そしてここで混合気体を該燃焼チャンバー中へ導入する前記工程が、燃焼気体を該燃焼チャンバー中へ導入する前記工程および温度制御気体を該燃焼チャンバー中へ導入する工程の両方から独立している、方法。
【０１４１】
　１２２．　温度制御気体を前記燃焼チャンバー中へ導入する前記工程が、冷却気体を該燃焼チャンバー中へ導入する工程を包含する、項１１８に記載の大量の燃料を燃焼する方法。
【０１４２】
　１２３．　冷却気体を前記燃焼チャンバー中へ導入する前記工程が、再循環燃焼気体を該燃焼チャンバー中へ導入する工程を包含する、項１２２に記載の大量の燃料を燃焼する方法。
【０１４３】
　１２４．　温度制御気体を前記燃焼チャンバー中へ導入する前記工程は、前記燃焼生成物が存在する場所において前記温度制御気体を導入する工程を包含する、項１１８に記載の大量の燃料を燃焼する方法。
【０１４４】
　１２５．　前記燃焼生成物が存在する場所で前記温度制御気体を導入する前記工程が、前記火格子システムの上に該温度制御気体を導入する工程を包含する、項１２４に記載の大量の燃料を燃焼する方法。
【０１４５】
　１２６．　前記燃焼生成物が存在する場所で前記温度制御気体を導入する前記工程が、前記火格子システムの下に該温度制御気体を導入する工程を包含する、項１２４に記載の大量の燃料を燃焼する方法。
【０１４６】
　１２７．　前記燃焼チャンバーに大量の燃料を供給する前記工程が、該大量の燃料と共に該燃焼チャンバーに導入される空気の量を制限する工程を包含する、項１１８に記載の大量の燃料を燃焼する方法。
【０１４７】
　１２８．　前記大量の燃料の少なくとも一部を燃焼し、燃焼生成物を生成する前記工程の結果として、前記燃焼チャンバー内にある集塊化燃焼副生成物を低減する工程をさらに包含する、項１１８に記載の大量の燃料を燃焼する方法。
【０１４８】
　１２９．　前記大量の燃料の少なくとも一部を燃焼し、燃焼生成物を生成する前記工程の結果として、前記燃焼チャンバー内にある集塊化燃焼副生成物を低減する前記工程が、該燃焼チャンバー内に集塊化燃焼副生成物低減気体を導入する工程を包含する、項１２８に記載の大量の燃料を燃焼する方法。
【０１４９】
　１３０．　前記燃焼チャンバー内に集塊化燃焼副生成物低減気体を導入する前記工程が、該燃焼チャンバー内に再循環燃焼気体を導入する工程を包含する、項１２９に記載の大量の燃料を燃焼する方法。
【０１５０】
　１３１．　大量の燃料を燃焼する方法であって、該方法は、以下の工程：
　ａ．大量の燃料を受容するように位置付けされる燃焼チャンバーを提供する工程；
　ｂ．燃焼チャンバー内に火格子システムを設置する工程；
　ｃ．該燃焼チャンバー内の該火格子システム上に大量の燃料を供給する工程；
　ｄ．該大量の燃料を該火格子システムを横切って運搬する工程；
　ｅ．混合気体を該燃焼チャンバー中へ導入する工程；
　ｆ．燃焼気体を該燃焼チャンバー中へ導入する工程；
　ｇ．該燃焼気体から独立している該混合気体を、独立してパルス化する工程；
　ｈ．該混合気体の作用を介して該大量の燃料を混合する工程；
　ｉ．該大量の燃料の少なくとも一部を燃焼し、燃焼生成物を生成する工程；および
　ｊ．該燃焼生成物を排出する工程、
を包含する、方法。
【０１５１】
　１３２．　前記混合気体から独立している前記燃焼気体を独立してパルス化する工程をさらに包含する、項１３１に記載の大量の燃料を燃焼する方法。
【０１５２】
　１３３．　前記チャンバー内に導入される前記気体の少なくとも１つをパルス化する工程をさらに包含する、項１１８に記載の大量の燃料を燃焼する方法。
【０１５３】
　１３４．　前記温度制御気体をパルス化する前記工程をさらに包含する、項１１８に記載の大量の燃料を燃焼する方法。
【０１５４】
　１３５．　大量の燃料を燃焼する方法であって、該方法は、以下の工程：
　ａ．大量の燃料を受容するように位置付けされる燃焼チャンバーを提供する工程；
　ｂ．燃焼チャンバー内に火格子システムを設置する工程；
　ｃ．該燃焼チャンバー内の該火格子システム上に大量の燃料を供給する工程；
　ｄ．該大量の燃料を該火格子システムを横切って運搬する工程；
　ｅ．該燃焼チャンバー内に第１の気体を導入する工程；
　ｆ．該燃焼チャンバー内に第２の気体を導入する工程；
　ｇ．該第２の気体から独立している該第１の気体を、独立してパルス化する工程；
　ｈ．該第１の気体から独立している該第２の気体を、独立してパルス化する工程；
　ｉ．前記大量の燃料の少なくとも一部分を燃焼し、燃焼生成物を生成する工程；および
　ｊ．該燃焼生成物を排出する工程、
を包含する方法。
【０１５５】
　１３６．　大量燃料燃焼炉であって、以下：
　ａ．大量燃料供給エレメント；
　ｂ．該大量燃料供給エレメントから大量の燃料を受容するように位置付けされる、燃焼チャンバー；
　ｃ．該燃焼チャンバー内にある傾いた火格子システム；
　ｄ．該傾いた火格子システムが応答性である振動エレメント；
　ｅ．該燃焼チャンバー内にある燃焼気体供給；および
　ｆ．該傾いた火格子システムの前記出口端の付近に位置する灰排出システム、
を包含する、大量燃料燃焼炉。
【０１５６】
　１３７．　前記傾いた火格子システムが、複数の重複火格子エレメントを備える、項１３６に記載の大量燃料燃焼炉。
【０１５７】
　１３８．　前記複数の重複火格子エレメントが、前記振動エレメントに対して各々個々に応答性である複数の火格子帯を備える、項１３７に記載の大量燃料燃焼炉。
【０１５８】
　１３９．　複数の振動相互連絡エレメントをさらに備える項１３８に記載の大量燃料燃焼炉であって、該複数の振動相互連絡エレメントの各々に対して、前記複数の前記重複火格子エレメントの少なくとも一部が応答性である、大量燃料燃焼炉。
【０１５９】
　１４０．　前記複数の振動相互連絡エレメントが、前記振動エレメントに対して応答性である、項１３９に記載の大量燃料燃焼炉。
【０１６０】
　１４１．　複数の振動エレメントをさらに備える項１３９に記載の大量燃料燃焼炉であって、該複数の振動エレメントの各々に対して、前記複数の前記相互連絡エレメントの少なくとも一部が応答性である、大量燃料燃焼炉。
【０１６１】
　１４２．　前記複数の振動エレメントの各々が独立して制御可能である、項１４１に記載の大量燃料燃焼炉。
【０１６２】
　１４３．　前記複数の振動相互連絡エレメントの各々がロッドを備える、項１４０または１４１に記載の大量燃料燃焼炉。
【０１６３】
　１４４．　項１４３に記載の大量燃料燃焼炉であって、ここで前記重複火格子エレメントが、リブエレメントをさらに備え、該リブエレメントの各々が、前記相互連絡エレメントの一つに対して応答性である、大量燃料燃焼炉。　
【０１６４】
　１４５．　項１３６に記載の大量燃料燃焼炉であって、ここで前記傾いた火格子システムが複数の振動火格子帯を備え、該複数の振動火格子帯は前記振動エレメントに対して各々個々に応答性である、大量燃料燃焼炉。
【０１６５】
　１４６．　複数の振動エレメントをさらに備える項１４５に記載の大量燃料燃焼炉であって、該複数の振動エレメントに対して前記振動火格子帯の１つが応答性である、大量燃料燃焼炉。
【０１６６】
　１４７．　前記複数の振動エレメントの各々が独立して制御可能である、項１４６に記載の大量燃料燃焼炉。
【０１６７】
　１４８．　大量の燃料を燃焼する方法であって、該方法は、以下の工程：
　ａ．大量の燃料を受容するように位置付けされる燃焼チャンバーを提供する工程；
　ｂ．該燃焼チャンバー内に傾いた火格子システムを提供する工程；
　ｃ．大量の燃料を、該傾いた火格子システムへ供給する工程； 
　ｄ．該大量の燃料を実質的に燃焼する工程；および
　ｅ．該傾いた火格子システムの少なくとも一部を振動する工程、
を包含する、方法。
【０１６８】
　１４９．　項１４８に記載の大量の燃料を燃焼する方法であって、以下の工程：　
　ａ．燃焼される大量の燃料を形成する工程；および　
　ｂ．前記傾いた火格子システムを振動する前記工程の結果として、該燃焼される大量の燃料を撹拌する工程、
をさらに包含する、方法。
【０１６９】
　１５０．　燃焼される大量の燃料を形成する前記工程を達成する場合、燃焼されない材料を形成する工程をさらに包含する、項１４９に記載される大量の燃料を燃焼する方法。
【０１７０】
　１５１．　前記傾いた火格子システムを振動する前記工程の結果として、前記燃焼されない材料を攪拌する工程をさらに包含する、項１５０に記載の大量の燃料を燃焼する方法。
【０１７１】
　１５２．　燃焼される大量の燃料を形成する前記工程が、集塊化燃焼副生成物を形成する工程を包含する、項１４９に記載の大量の燃料を燃焼する方法。
【０１７２】
　１５３．　前記燃焼される大量の燃料を攪拌する前記工程が、前記集塊化燃焼副生成物を攪拌する工程を包含する、項１５２に記載の大量の燃料を燃焼する方法。
【０１７３】
　１５４．　前記燃焼チャンバーから前記集塊化燃焼副生成物を除去する工程をさらに包含する、項１５３に記載の大量の燃料を燃焼する方法。
【０１７４】
　１５５．　前記振動する工程、前記攪拌する工程および前記除去する工程を繰り返す工程をさらに包含する、項１５４に記載の大量の燃料を燃焼する方法。
【０１７５】
　１５６．　除去する前記工程が、振動する工程および攪拌する工程を繰り返す前記工程の間、前記燃焼チャンバーから前記集塊化燃焼副生成物を除去する工程を包含する、項１５５に記載の大量の燃料を燃焼する方法。
【０１７６】
　１５７．　前記供給する工程、前記実質的に燃焼する工程、および前記形成する工程を繰り返す工程をさらに包含する、項１５２に記載の大量の燃料を燃焼する方法。
【０１７７】
　１５８．　前記燃焼される大量の燃料を攪拌する前記工程が、前記集塊化燃焼副生成物を攪拌する工程を包含する、項１５７に記載の大量の燃料を燃焼する方法。
【０１７８】
　１５９．　前記燃焼チャンバーから前記集塊化燃焼副生成物を除去する工程をさらに包含する項１５８に記載の大量の燃料を燃焼する方法。
【０１７９】
　１６０．　前記振動する工程、前記攪拌する工程および前記除去する工程を繰り返す工程をさらに包含する、項１５９に記載の大量の燃料を燃焼する方法。
【０１８０】
　１６１．　振動する工程および攪拌する工程を繰り返す前記工程の間、前記燃焼チャンバーから前記集塊化燃焼副生成物を除去する工程をさらに包含する、項１６０に記載の大量の燃料を燃焼する方法。
【０１８１】
　１６２．　項１４９に記載の大量の燃料を燃焼する方法であって、ここで前記傾いた火格子システムは、前記入口端と前記出口端との間に長さを有し、そしてここで攪拌する前記工程は、該火格子システムの該長さに沿って、前記燃焼される大量の燃料を撹拌しながら運搬する工程を包含する、方法。
【０１８２】
　１６３．　攪拌する前記工程が、燃焼される大量の燃料を前記燃焼チャンバーから攪拌しながら除去する工程をさらに包含する、項１６２に記載の大量の燃料を燃焼する方法。
【０１８３】
　１６４．　燃焼される大量の燃料を形成する前記工程が、集塊化燃焼副生成物を形成する工程を包含する、項１６３に記載の大量の燃料を燃焼する方法。
【０１８４】
　１６５．　複数の振動エレメントを提供する工程をさらに包含する項１５８に記載の大量の燃料を燃焼する方法であって、そしてここで振動する前記工程が、該複数の振動エレメントと共に前記傾いた火格子システムの少なくとも一部を振動する工程を包含する、方法。
【０１８５】
　１６６．　振動する前記工程が前記複数の振動エレメントの各々を独立して制御する工程を包含する、項１６５に記載の大量の燃料を燃焼する方法。
【０１８６】
　１６７．　傾いた火格子システムを提供する前記工程が、前記複数の振動エレメントに対して応答性である複数の火格子エレメントを提供する工程を包含する、項１６５に記載の大量の燃料を燃焼する方法。　
【０１８７】
　１６８．　振動する前記工程が、前記振動エレメントの各々と共に前記複数の火格子エレメントの少なくとも一部を振動する工程を包含する、項１６７に記載の大量の燃料を燃焼する方法。
【０１８８】
　１６９．　振動する前記工程が、前記複数の振動エレメントの各々を独立して制御する工程を包含する、項１６８に記載の大量の燃料を燃焼する方法。
【０１８９】
　１７０．　傾いた火格子システムを提供する前記工程が複数の相互連絡エレメントを提供する工程を包含し、該複数の相互連絡エレメントに対して複数の前記火格子エレメントが応答性である、項１６７に記載の大量の燃料を燃焼する方法。
【０１９０】
　１７１．　振動する前記工程が、前記振動エレメントの各々と共に前記複数の相互連絡エレメントの少なくとも一部分を振動する工程を包含する、項１７０に記載の大量の燃料を燃焼する方法。
【０１９１】
　１７２．　大量燃料燃焼炉であって、以下：
　ａ．大量燃料供給エレメント；
　ｂ．該大量燃料供給エレメントから大量の燃料を受容するように位置付けされる、燃焼チャンバー；
　ｃ．該燃焼チャンバー内にある火格子システム；
　ｄ．該火格子システムが応答性である、実質的直交振動エレメント；
　ｅ．該燃焼チャンバー内にある燃焼気体供給；および
　ｆ．該火格子システムの出口端の付近に位置する、灰排出システム、
を備える、大量燃料燃焼炉。
【０１９２】
　１７３．　前記火格子システムが複数の重複火格子エレメントを備える、項１７２に記載の大量燃料燃焼炉。
【０１９３】
　１７４．　前記複数の重複火格子エレメントが、前記実質的直交振動エレメントに対して各々個々に応答性である複数の火格子帯を備える、項１７３に記載の大量燃料燃焼炉。
【０１９４】
　１７５．　複数の振動相互連絡エレメントをさらに備え、該複数の振動相互連絡エレメントに対して前記複数の前記重複火格子エレメントの少なくとも一部が応答性である、項１７４に記載の大量燃料燃焼炉。
【０１９５】
　１７６．　前記複数の振動相互連絡エレメントが、前記実質的直交振動エレメントに対して応答性である、項１７５に記載の大量燃料燃焼炉。
【０１９６】
　１７７．　複数の実質的直交振動エレメントをさらに備え、該複数の実質的直交振動エレメントの各々に対して、前記複数の前記相互連絡エレメントの少なくとも一部が応答性である、項１７５に記載の大量燃料燃焼炉。
【０１９７】
　１７８．　前記複数の実質的直交振動エレメントの各々が、独立して制御可能である、項１７７に記載の大量燃料燃焼炉。
【０１９８】
　１７９．　前記複数の振動相互連絡エレメントの各々がロッドを備える、項１７６または１７７に記載の大量燃料燃焼炉。
【０１９９】
　１８０．　前記重複火格子エレメントがリブエレメントをさらに備え、該リブエレメントの各々が、前記相互連絡エレメントの一つに対して応答性である、項１７９に記載の大量燃料燃焼炉。　
【０２００】
　１８１．　前記火格子システムが前記実質的直交振動エレメントに対して各々個々に応答性である複数の振動火格子帯を備える、項１７２に記載の大量燃料燃焼炉。
【０２０１】
　１８２．　複数の実質的直交振動エレメントをさらに備え、該複数の実質的直交振動エレメントに対して前記振動火格子帯の一つが応答性である、項１８１に記載の大量燃料燃焼炉。
【０２０２】
　１８３．　前記複数の実質的直交振動エレメントの各々が独立して制御可能である、項１８２に記載の大量燃料燃焼炉。
【０２０３】
　１８４．　大量の燃料を燃焼する方法であって、該方法は、以下の工程：
　ａ．大量の燃料を受容するように位置付けされる燃焼チャンバーを提供する工程；
　ｂ．該燃焼チャンバー内に火格子システムを提供する工程；
　ｃ．大量の燃料を、該火格子システムへ供給する工程； 
　ｄ．該大量の燃料を実質的に燃焼する工程；および
　ｅ．該大量の燃料の流れに対して実質的に直交する該火格子システムの少なくとも一部を振動する工程、
を包含する、方法。
【０２０４】
　１８５．　項１９０に記載の大量の燃料を燃焼する方法であって、そしてさらに以下の工程：　
　ａ．燃焼される大量の燃料を形成する工程；および　
　ｂ．前記火格子システムを振動する前記工程の結果として該燃焼される大量の燃料を攪拌する工程、
を包含する、方法。
【０２０５】
　１８６．　燃焼される大量の燃料を形成する前記工程を達成する場合、燃焼されない材料を形成する工程をさらに包含する、項１８５に記載の大量の燃料を燃焼する方法。
【０２０６】
　１８７．　前記火格子システムを振動する前記工程の結果として、前記燃焼されない材料を攪拌する工程をさらに包含する、項１８６に記載の大量の燃料を燃焼する方法。　
【０２０７】
　１８８．　燃焼される大量の燃料を形成する前記工程が、集塊化燃焼副生成物を形成する工程を包含する、項１８５に記載の大量の燃料を燃焼する方法。
【０２０８】
　１８９．　前記燃焼される大量の燃料を攪拌する前記工程が、前記集塊化燃焼副生成物を攪拌する工程を包含する、項１８８に記載の大量の燃料を燃焼する方法。
【０２０９】
　１９０．　前記燃焼チャンバーから前記集塊化燃焼副生成物を除去する工程をさらに包含する、項１８９に記載の大量の燃料を燃焼する方法。
【０２１０】
　１９１．　前記振動する工程、前記攪拌する工程および前記除去する工程を繰り返す工程をさらに包含する、項１９０に記載の大量の燃料を燃焼する方法。
【０２１１】
　１９２．　除去する前記工程が、振動する工程および攪拌する工程を繰り返す前記工程の間に、前記燃焼チャンバーから前記集塊化燃焼副生成物を除去する工程を包含する、項１９１に記載の大量の燃料を燃焼する方法。　
【０２１２】
　１９３．　前記供給する工程、前記実質的に燃焼する工程、および前記形成する工程を繰り返す工程をさらに包含する、項１８８に記載の大量の燃料を燃焼する方法。
【０２１３】
　１９４．　前記燃焼される大量の燃料を攪拌する前記工程が、前記集塊化燃焼副生成物を攪拌する工程を包含する、項１９３に記載の大量の燃料を燃焼する方法。
【０２１４】
　１９５．　前記集塊化燃焼副生成物を前記燃焼チャンバーから除去する工程をさらに包含する、項１９４に記載の大量の燃料を燃焼する方法。
【０２１５】
　１９６．　前記振動する工程、前記攪拌する工程および前記除去する工程を繰り返す工程をさらに包含する、項１９５に記載の大量の燃料を燃焼する方法。
【０２１６】
　１９７．　振動する工程および攪拌する工程を繰り返す前記工程の間に、前記集塊化燃焼副生成物を前記燃焼チャンバーから除去する工程をさらに包含する、項１９６に記載の大量の燃料を燃焼する方法。
【０２１７】
　１９８．　項１８５に記載の大量の燃料を燃焼する方法であって、ここで前記火格子システムは、前記入口端と前記出口端との間に長さを有し、そしてここで攪拌する前記工程は、該火格子システムの該長さに沿って、前記燃焼される大量の燃料を撹拌しながら運搬する工程を包含する、方法。
【０２１８】
　１９９．　攪拌する前記工程が、燃焼される大量の燃料を前記燃焼チャンバーから攪拌しながら除去する工程をさらに包含する、項１９８に記載の大量の燃料を燃焼する方法。
【０２１９】
　２００．　燃焼される大量の燃料を形成する前記工程が、集塊化燃焼副生成物を形成する工程を包含する、項１９９に記載の大量の燃料を燃焼する方法。
【０２２０】
　２０１．　複数の振動エレメントを提供する工程をさらに包含し、ここで振動する前記工程が、前記複数の振動エレメントと共に前記大量の燃料の流れに対して実質的に直交する前記火格子システムの少なくとも一部を振動する工程を包含する、項１９４に記載の大量の燃料を燃焼する方法。
【０２２１】
　２０２．　振動する前記工程が前記複数の振動エレメントの各々を独立して制御する工程を包含する、項２０１に記載の大量の燃料を燃焼する方法。
【０２２２】
　２０３．　火格子システムを提供する前記工程が、前記複数の振動エレメントに対して応答性である複数の火格子エレメントを提供する工程を包含する、項２０１に記載の大量の燃料を燃焼する方法。　
【０２２３】
　２０４．　振動する前記工程が、前記振動エレメントの各々と共に前記大量の燃料の流れに対して実質的に直交する前記複数の火格子エレメントの少なくとも一部を振動する工程を包含する、項２０３に記載の大量の燃料を燃焼する方法。
【０２２４】
　２０５．　振動する前記工程が前記複数の振動エレメントの各々を独立して制御する工程を包含する、項２０４に記載の大量の燃料を燃焼する方法。
【０２２５】
　２０６．　火格子システムを提供する前記工程が複数の相互連絡エレメントを提供する工程を包含し、該複数の相互連絡エレメントに対して、複数の前記火格子エレメントが応答性である、項２０３に記載の大量の燃料を燃焼する方法。
【０２２６】
　２０７．　振動する前記工程が前記振動エレメントの各々と共に前記複数の相互連絡エレメントの少なくとも一部を振動する工程を包含する、項２０６に記載の大量の燃料を燃焼する方法。
【０２２７】
　２０８．　大量燃料燃焼炉であって、以下：
　ａ．大量燃料供給エレメント；
　ｂ．該大量燃料供給エレメントから大量の燃料を受容するように位置付けされる、燃焼チャンバー；
　ｃ．該燃焼チャンバー内にあり、かつ入口端および出口端を有する火格子システムであって、該火格子システムを横切って該大量の燃料が運搬される、火格子システム；
　ｄ．該燃焼チャンバー内にある、燃焼気体供給；
　ｅ．該燃焼チャンバー内にある、温度制御再循環気体供給；および
　ｆ．該火格子システムの該出口端の付近に位置する、灰排出システム、
を備える、大量燃料燃焼炉。
【０２２８】
　２０９．　前記燃焼チャンバー内にある前記温度制御再循環気体供給が、実質的に不燃性の再循環気体供給を備える、項２０８に記載の大量燃料燃焼炉。
【０２２９】
　２１０．　前記実質的に不燃性の再循環気体供給が、前記燃焼チャンバー内にある再循環燃焼気体供給を備える、項２０９に記載の大量燃料燃焼炉。
【０２３０】
　２１１．　前記燃焼チャンバー内にある燃料混合気体供給をさらに備え、そしてここで該燃焼チャンバー内にある前記温度制御再循環気体供給が、前記燃焼気体供給および該燃料混合気体供給の両方から独立している温度制御再循環気体供給を備える、項２０８に記載の大量燃料燃焼炉。
【０２３１】
　２１２．　前記燃焼チャンバー内にある前記温度制御再循環気体供給が、冷却気体供給を備える、項２０８に記載の大量燃料燃焼炉。
【０２３２】
　２１３．　前記燃焼チャンバー内にある前記温度制御再循環気体供給が、該燃焼チャンバー内にある燃焼後再循環気体供給を備える、項２０８に記載の大量燃料燃焼炉。
【０２３３】
　２１４．　前記燃焼チャンバー内にある前記温度制御再循環気体供給が、前記火格子システムの上に位置付けされる頂部気体供給を備える、項２０８または２１３に記載の大量燃料燃焼炉。
【０２３４】
　２１５．　前記燃焼チャンバー内にある前記温度制御再循環気体供給が、前記火格子システムの下に位置付けられる気体供給を備える、項２０８または２１３に記載の大量燃料燃焼炉。
【０２３５】
　２１６．　前記大量燃料供給エレメントが、低部空気導入大量燃料供給システムを備える、項２０８に記載の大量燃料燃焼炉。
【０２３６】
　２１７．　前記燃焼チャンバー内にある前記温度制御再循環気体供給が、集塊化燃焼副生成物低減システムを備える、項２０８に記載の大量燃料燃焼炉。
【０２３７】
　２１８．　前記集塊化燃焼副生成物低減システムが、集塊化燃焼副生成物低減再循環気体供給を備える、項２１７に記載の大量燃料燃焼炉。
【０２３８】
　２１９．　独立燃焼気体パルスシステムをさらに備える、項２０８に記載の大量燃料燃焼炉であって、該独立燃焼気体パルスシステムは、前記混合気体供給から独立しており、かつ前記燃焼気体供給が、該独立燃焼気体パルスシステムに対して応答性である、大量燃料燃焼炉。
【０２３９】
　２２０．　気体パルスシステムをさらに備え、該気体パルスシステムに対して、前記気体供給のうち少なくとも１つが応答性である、項２０８に記載の大量燃料燃焼炉。
【０２４０】
　２２１．　前記気体供給のうち少なくとも１つが応答性である前記気体パルスシステムが、可変気体パルスシステムを備える、項２２０に記載の大量燃料燃焼炉。
【０２４１】
　２２２．　大量の燃料を燃焼する方法であって、該方法は、以下の工程：
　ａ．大量の燃料を受容するように位置付けされる燃焼チャンバーを提供する工程；
　ｂ．燃焼チャンバー内に火格子システムを設置する工程；
　ｃ．該燃焼チャンバー内の該火格子システム上に大量の燃料を供給する工程；
　ｄ．該大量の燃料を該火格子システムを横切って運搬する工程；
　ｅ．燃焼気体を該燃焼チャンバーへ導入する工程；
　ｆ．該大量の燃料の少なくとも一部を燃焼して、燃焼生成物を生成する工程；
　ｇ．温度制御再循環気体を該燃焼チャンバー内に導入する工程；
　ｈ．該燃焼チャンバー内の温度を該温度制御再循環気体により制御する工程；
　ｉ．該燃焼生成物を排出する工程、
を包含する方法。
【０２４２】
　２２３．　項２２２に記載の大量の燃料を燃焼する方法であって、温度制御再循環気体を前記燃焼チャンバー内に導入する前記工程が、実質的に不燃性の再循環気体を該燃焼チャンバーに導入する工程を包含する、方法。
【０２４３】
　２２４．　項２２３に記載の大量の燃料を燃焼する方法であって、実質的に不燃性の再循環気体を前記燃焼チャンバーに導入する前記工程が、再循環燃焼気体を該燃焼チャンバー内に導入する工程を包含する、方法。
【０２４４】
　２２５．　項２２２に記載の大量の燃料を燃焼する方法であって、混合気体を前記燃焼チャンバーに導入する工程をさらに包含し、そしてここで混合気体を該燃焼チャンバーに導入する該工程が、燃焼気体を該燃焼チャンバーへ導入する前記工程および温度制御再循環気体を該燃焼チャンバー内に導入する前記工程の両方から独立している、方法。
【０２４５】
　２２６．　温度制御再循環気体を前記燃焼チャンバー内に導入する前記工程が、冷却気体を該燃焼チャンバーに導入する工程を包含する、項２２２に記載の大量の燃料を燃焼する方法。
【０２４６】
　２２７．　冷却気体を前記燃焼チャンバーに導入する前記工程が、再循環燃焼気体を該燃焼チャンバーに導入する工程を包含する、項２２６に記載の大量の燃料を燃焼する方法。
【０２４７】
　２２８．　温度制御再循環気体を前記燃焼チャンバー内に導入する前記工程が、前記燃焼生成物が存在する場所で該温度制御再循環気体を導入する工程を包含する、項２２２に記載の大量の燃料を燃焼する方法。
【０２４８】
　２２９．　前記燃焼生成物が存在する場所で前記温度制御再循環気体を導入する前記工程が、前記火格子システムの上に該温度制御再循環気体を導入する工程を包含する、項２２８に記載の大量の燃料を燃焼する方法。
【０２４９】
　２３０．　前記燃焼生成物が存在する場所で前記温度制御再循環気体を導入する前記工程が、前記火格子システムの下に該温度制御再循環気体を導入する工程を包含する、項２２８に記載の大量の燃料を燃焼する方法。
【０２５０】
　２３１．　前記燃焼チャンバーに大量の燃料を供給する前記工程が、該大量の燃料と共に該燃焼チャンバーに導入される空気の量を制限する工程を包含する、項２２２に記載の大量の燃料を燃焼する方法。
【０２５１】
　２３２．　項２２２に記載の大量の燃料を燃焼する方法であって、該大量の燃料の少なくとも一部を燃焼して、燃焼生成物を生成する前記工程の結果として、前記燃焼チャンバー内の集塊化燃焼副生成物を低減する工程をさらに包含する方法。
【０２５２】
　２３３．　項２３２に記載の大量の燃料を燃焼する方法であって、該大量の燃料の少なくとも一部を燃焼して、燃焼生成物を生成する前記工程の結果として、前記燃焼チャンバー内の集塊化燃焼副生成物を低減する前記工程が、集塊化燃焼副生成物低減気体を前記燃焼チャンバー内に導入する工程を包含する、方法。
【０２５３】
　２３４．　集塊化燃焼副生成物低減気体を前記燃焼チャンバー内に導入する前記工程が、再循環燃焼気体を該燃焼チャンバー内に導入する工程を包含する、項２３３に記載の大量の燃料を燃焼する方法。
【０２５４】
　２３５．　前記チャンバー内に導入される前記気体の少なくとも１つをパルス化する工程をさらに包含する、項２２２に記載の大量の燃料を燃焼する方法。
【０２５５】
　２３６．　前記温度制御再循環気体をパルス化する工程をさらに包含する、項２２２に記載の大量の燃料を燃焼する方法。
【０２５６】
　２３７．　前記燃焼チャンバー内に温度制御気体供給をさらに備える、項５８に記載の大量燃料燃焼炉。
【０２５７】
　２３８．　前記燃焼チャンバー内の前記温度制御気体供給が、実質的に不燃性の気体の供給を備える、項２３７に記載の大量燃料燃焼炉。
【０２５８】
　２３９．　前記実質的に不燃性の気体の供給が、前記燃焼チャンバー内に再循環燃焼気体供給を備える、項２３８に記載の大量燃料燃焼炉。
【０２５９】
　２４０．　前記燃焼チャンバー内の前記温度制御気体供給が、前記燃焼気体供給および前記混合気体供給の両方から独立した温度制御気体供給を備える、項２３７に記載の大量燃料燃焼炉。
【０２６０】
　２４１．　前記燃焼チャンバー内の前記温度制御気体供給が、冷却気体供給を備える、項２３７に記載の大量燃料燃焼炉。
【０２６１】
　２４２．　前記冷却気体供給が、再循環気体供給を備える、項２４１に記載の大量燃料燃焼炉。
【０２６２】
　２４３．　前記燃焼チャンバー内の前記温度制御気体供給が、該燃焼チャンバー内に燃焼後気体供給を備える、項２３７に記載の大量燃料燃焼炉。
【０２６３】
　２４４．　前記燃焼チャンバー内の前記温度制御気体供給が、前記火格子システムの上に位置付けされる頂部気体供給を備える、項２３７または２４３に記載の大量燃料燃焼炉。
【０２６４】
　２４５．　前記燃焼チャンバー内の前記温度制御気体供給が、前記火格子システムの下に位置付けされる気体供給を備える、項２３７または２４３に記載の大量燃料燃焼炉。
【０２６５】
　２４６．　前記大量燃料供給エレメントが、低部空気導入大量燃料供給システムを備える、項２３７に記載の大量燃料燃焼炉。
【０２６６】
　２４７．　前記燃焼チャンバー内の前記温度制御気体供給が、集塊化燃焼副生成物低減システムを備える、項２３７に記載の大量燃料燃焼炉。
【０２６７】
　２４８．　前記集塊化燃焼副生成物低減システムが、集塊化燃焼副生成物低減気体供給を備える、項２４７に記載の大量燃料燃焼炉。
【０２６８】
　２４９．　前記集塊化燃焼副生成物低減気体供給が、再循環気体供給を備える、項２４８に記載の大量燃料燃焼炉。
【０２６９】
　２５０．　気体パルスシステムをさらに備え、該気体パルスシステムに対して前記燃焼気体供給が応答性である、項５８に記載の大量燃料燃焼炉。
【０２７０】
　２５１．　気体パルスシステムをさらに備え、該気体パルスシステムに対して前記温度制御気体供給が応答性である、項２３７に記載の大量燃料燃焼炉。
【０２７１】
　２５２．　前記気体パルスシステムが、可変気体パルスシステムを備える、項２５０または２５１に記載の大量燃料燃焼炉。
【０２７２】
　２５３．　前記気体供給のうちの１つが、前記燃焼チャンバー内に温度制御気体供給を備える、項６２に記載の大量燃料燃焼炉。
【０２７３】
　２５４．　前記燃焼チャンバー内の前記温度制御気体供給が、実質的に不燃性の気体の供給を備える、項２５３に記載の大量燃料燃焼炉。
【０２７４】
　２５５．　前記実質的に不燃性の気体の供給が、前記燃焼チャンバー内に再循環燃焼気体供給を備える、項２５４に記載の大量燃料燃焼炉。
【０２７５】
　２５６．　前記燃焼チャンバー内の前記温度制御気体供給が、前記燃焼気体供給および前記混合気体供給の両方から独立した温度制御気体供給を備える、項２５３に記載の大量燃料燃焼炉。
【０２７６】
　２５７．　前記燃焼チャンバー内の前記温度制御気体供給が、冷却気体供給を備える、項２５３に記載の大量燃料燃焼炉。
【０２７７】
　２５８．　前記冷却気体供給が、再循環気体供給を備える、項２５７に記載の大量燃料燃焼炉。
【０２７８】
　２５９．　該前記燃焼チャンバー内の前記温度制御気体供給が、該燃焼チャンバー内に燃焼後気体供給を備える、項２５３に記載の大量燃料燃焼炉。
【０２７９】
　２６０．　前記燃焼チャンバー内の前記温度制御気体供給が、前記火格子システムの上に位置付けされる、頂部気体供給を備える、項２５３または２５９に記載の大量燃料燃焼炉。
【０２８０】
　２６１．　前記燃焼チャンバー内の前記温度制御気体供給が、前記火格子システムの下に位置付けされる、気体供給を備える、項２５３または２５９に記載の大量燃料燃焼炉。
【０２８１】
　２６２．　前記大量燃料供給エレメントが、低部空気導入大量燃料供給システムを備える、項６２に記載の大量燃料燃焼炉。
【０２８２】
　２６３．　前記燃焼チャンバー内の前記温度制御気体供給が、集塊化燃焼副生成物低減システムを備える、項２５３に記載の大量燃料燃焼炉。
【０２８３】
　２６４．　前記集塊化燃焼副生成物低減システムが、集塊化燃焼副生成物低減気体供給を備える、項２６３に記載の大量燃料燃焼炉。
【０２８４】
　２６５．　前記集塊化燃焼副生成物低減気体供給が、再循環気体供給を備える、項２６４に記載の大量燃料燃焼炉。
【０２８５】
　２６６．　前記気体パルスシステムが、可変気体パルスシステムを備える、項６２に記載の大量燃料燃焼炉。
【０２８６】
　２６７．　前記気体パルスシステムが、可変気体パルスシステムをそれぞれ備える、項６２に記載の大量燃料燃焼炉。
【０２８７】
　２６８．　前記燃焼チャンバー内に温度制御気体を導入する工程および該燃焼チャンバー内の温度を、該温度制御気体により制御する工程をさらに包含する、項１３１に記載の大量の燃料を燃焼する方法。
【０２８８】
　２６９．　前記燃焼チャンバー内に温度制御気体を導入する前記工程が、実質的に不燃性の気体を該燃焼チャンバー内に導入する工程を包含する、項２６８に記載の大量の燃料を燃焼する方法。
【０２８９】
　２７０．　実質的に不燃性の気体を前記燃焼チャンバー内に導入する前記工程が、該燃焼チャンバー内に再循環燃焼気体を導入する工程を包含する、項２６９に記載の大量の燃料を燃焼する方法。
【０２９０】
　２７１．　前記燃焼チャンバーに混合気体を導入する前記工程が、燃焼気体を該燃焼チャンバー内に導入する前記工程および該燃焼チャンバーに温度制御気体を導入する工程の両方から独立している、項２６８に記載の大量の燃料を燃焼する方法。
【０２９１】
　２７２．　前記燃焼チャンバー内に温度制御気体を導入する前記工程が、該燃焼チャンバー内に冷却気体を導入する工程を包含する、項２６８に記載の大量の燃料を燃焼する方法。
【０２９２】
　２７３．　前記燃焼チャンバー内に冷却気体を導入する前記工程が、該燃焼チャンバー内に再循環燃焼気体を導入する工程を包含する、項２７２に記載の大量の燃料を燃焼する方法。
【０２９３】
　２７４．　前記燃焼チャンバー内に温度制御気体を導入する前記工程が、前記温度制御気体を、前記燃焼生成物が存在する場所に導入する工程を包含する、項２６８に記載の大量の燃料を燃焼する方法。
【０２９４】
　２７５．　前記温度制御気体を、前記燃焼生成物が存在する場所に導入する前記工程が、該温度制御気体を、前記火格子システムの上に導入する工程を包含する、項２７４に記載の大量の燃料を燃焼する方法。
【０２９５】
　２７６．　前記温度制御気体を、前記燃焼生成物が存在する場所に導入する前記工程が、該温度制御気体を、前記火格子システムの下に導入する工程を包含する、項２７４に記載の大量の燃料を燃焼する方法。
【０２９６】
　２７７．　前記燃焼チャンバー内に大量の燃料を供給する前記工程が、該大量の燃料と共に該燃焼チャンバー内に導入される空気の量を制限する工程を包含する、項１３１に記載の大量の燃料を燃焼する方法。
【０２９７】
　２７８．　項１３１に記載の大量の燃料を燃焼する方法であって、該大量の燃料の少なくとも一部を燃焼して、燃焼生成物を生成する前記工程の結果として、前記燃焼チャンバー内の集塊化燃焼副生成物を低減する工程をさらに包含する方法。
【０２９８】
　２７９．　項２７８に記載の大量の燃料を燃焼する方法であって、該大量の燃料の少なくとも一部を燃焼して、燃焼生成物を生成する前記工程の結果として、前記燃焼チャンバー内の集塊化燃焼副生成物を低減する前記工程が、集塊化燃焼副生成物低減気体を該燃焼チャンバー内に導入する工程を包含する、方法。
【０２９９】
　２８０．　集塊化燃焼副生成物低減気体を前記燃焼チャンバー内に導入する前記工程が、再循環燃焼気体を該燃焼チャンバー内に導入する工程を包含する、項２７９に記載の大量の燃料を燃焼する方法。
【０３００】
　２８１．　前記燃焼気体をパルス化する工程をさらに包含する、項１３１に記載の大量の燃料を燃焼する方法。
【０３０１】
　２８２．　前記温度制御気体をパルス化する工程をさらに包含する、項２６８に記載の大量の燃料を燃焼する方法。
【０３０２】
　２８３．　前記工程ｅおよびｈのうちの１つが、前記燃焼チャンバー内に温度制御気体を導入する工程および該燃焼チャンバー内の温度を該温度制御気体により制御する工程を包含する、項１３５に記載の大量の燃料を燃焼する方法。
【０３０３】
　２８４．　前記燃焼チャンバー内に温度制御気体を導入する前記工程が、該燃焼チャンバー内に実質的に不燃性の気体を導入する工程を包含する、項２８３に記載の大量の燃料を燃焼する方法。
【０３０４】
　２８５．　前記燃焼チャンバー内に実質的に不燃性の気体を導入する工程が、該燃焼チャンバー内に再循環燃焼気体を導入する工程を包含する、項２８４に記載の大量の燃料を燃焼する方法。
【０３０５】
　２８６．　前記燃焼チャンバー内に混合気体を導入する工程をさらに包含する、項１３５または２８３に記載の大量の燃料を燃焼する方法。
【０３０６】
　２８７．　第１の気体を導入する前記工程が、前記燃焼チャンバー内に燃焼気体を導入する工程を包含し、そしてここで第２の気体を導入する前記工程が、該燃焼チャンバー内に温度制御気体を導入する工程を包含し；ここで混合気体を導入する前記工程が、燃焼気体を導入する前記工程および温度制御気体を導入する前記工程の両方から独立している、項２８６に記載の大量の燃料を燃焼する方法。
【０３０７】
　２８８．　前記燃焼チャンバー内に温度制御気体を導入する前記工程が、該燃焼チャンバー内に冷却気体を導入する工程を包含する、項２８３に記載の大量の燃料を燃焼する方法。
【０３０８】
　２８９．　前記燃焼チャンバー内に冷却気体を導入する前記工程が、再循環燃焼気体を該燃焼チャンバー内に導入する工程を包含する、項２８８に記載の大量の燃料を燃焼する方法。
【０３０９】
　２９０．　前記燃焼チャンバー内に温度制御気体を導入する前記工程が、前記燃焼生成物が存在する場所で該温度制御気体を導入する工程を包含する、項２８３に記載の大量の燃料を燃焼する方法。
【０３１０】
　２９１．　前記燃焼生成物が存在する場所で前記温度制御気体を導入する前記工程が、該温度制御気体を前記火格子システムの上に導入する工程を包含する、項２９０に記載の大量の燃料を燃焼する方法。
【０３１１】
　２９２．　前記燃焼生成物が存在する場所で前記温度制御気体を導入する工程が、該温度制御気体を前記火格子システムの下に導入する工程を包含する、項２９０に記載の大量の燃料を燃焼する方法。
【０３１２】
　２９３．　前記燃焼チャンバー内に大量の燃料を供給する前記工程が、該大量の燃料と共に該燃焼チャンバー内に導入される空気の量を制限する工程を包含する、項１３５に記載の大量の燃料を燃焼する方法。
【０３１３】
　２９４．　項１３５に記載の大量の燃料を燃焼する方法であって、該大量の燃料の少なくとも一部を燃焼して、燃焼生成物を生成する前記工程の結果として、前記燃焼チャンバー内の集塊化燃焼副生成物を低減する工程をさらに包含する方法。
【０３１４】
　２９５．　前記大量の燃料の少なくとも一部を燃焼して、燃焼生成物を生成する前記工程の結果として、前記燃焼チャンバー内の集塊化燃焼副生成物（ａｇｇｌｏｍｅｒａｔｅｄ　ｃｏｍｂｕｓｔｉｏｎ　ｂｙ−ｐｒｏｄｕｃｔ）を低減する前記工程が、集塊化燃焼副生成物低減気体を該燃焼チャンバー内に導入する工程を包含する、項２９４に記載の大量の燃料を燃焼する方法。
【０３１５】
　２９６．　集塊化燃焼副生成物低減気体を前記燃焼チャンバー内に導入する前記工程が、該燃焼チャンバー内に再循環燃焼気体を導入する工程を包含する、項２９５に記載の大量の燃料を燃焼する方法。
【０３１６】
　２９７．　前記燃焼気体供給に提供される燃焼気体の供給源および該燃焼気体の供給源と独立した、前記温度制御気体供給に提供される温度制御気体の供給源をさらに備える、項４５に記載の大量燃料燃焼炉。
【０３１７】
　２９８．　前記温度制御気体の供給源が、前記燃焼気体の供給源と特徴的に異なる、項２９７に記載の大量燃料燃焼炉。
【０３１８】
　２９９．　前記温度制御気体の供給源が、前記燃焼気体の供給源の燃焼特性よりも実質的に低い燃焼特性を有する、項２９８に記載の大量燃料燃焼炉。
【０３１９】
　３００．　前記温度制御気体の供給源が、前記燃焼気体の供給源の温度変化特性と実質的に異なる温度変化特性を有する、項２９８または２９９に記載の大量燃料燃焼炉。
【０３２０】
　３０１．　温度制御気体を導入する前記工程が、前記燃焼気体と特徴的に異なる温度制御気体を導入する工程を包含する、項１１８に記載の大量の燃料を燃焼する方法。
【０３２１】
　３０２．　温度制御気体を導入する前記工程が、前記燃焼気体の燃焼特性より実質的に低い燃焼特性を有する温度制御気体を導入する工程を包含する、項３０１に記載の大量の燃料を燃焼する方法。
【０３２２】
　３０３．　温度制御気体を導入する前記工程が、前記燃焼気体の温度変化特性と実質的に異なる温度変化特性を有する温度制御気体を導入する工程を包含する、項３０１または３０２に記載の大量の燃料を燃焼する方法。
【０３２３】
　３０４．　前記複数の重複火格子エレメントが、複数の固定された重複火格子エレメントを備える、項１に記載の大量燃料燃焼炉。
【０３２４】
　３０５．　前記複数の固定された重複火格子エレメントが、それぞれ並進運動を抑止されている、項３０４に記載の大量燃料燃焼炉。
【０３２５】
　３０６．　前記複数の固定された重複火格子エレメントが、それぞれ回転運動を抑止されている、項３０４または３０５に記載の大量燃料燃焼炉。
【０３２６】
　３０７．　前記複数の火格子エレメントの各々の並進運動を抑止する工程をさらに包含する、項６６に記載の大量の燃料を燃焼する方法。
【０３２７】
　３０８．　前記複数の火格子エレメントの各々の回転運動を抑止する工程をさらに包含する、項６６または３０７に記載の大量の燃料を燃焼する方法。
【０３２８】
　（発明を実施するための様式）
　容易に理解されるように、本発明の基本的な概念は、種々の様式で具体化され得る。それは、方法および適切な方法を達成するためのデバイスの両方を含む。この開示において、その方法は、記載される種々のデバイスによって達成されることが示された結果の一部として、そして利用に対して固有である工程として開示される。それらは、単に、そのデバイスを意図されそして記載されるように、利用する自然な結果である。さらに、いくつかのデバイスが開示されるが、これらは、特定の方法を達成するだけでなく、多くの様式で変化され得ることが、理解される。重要なことには、前述に関して、全てのこれらの事実は、この開示によって包含されることを理解すべきである。
【０３２９】
　本発明は、主に、家庭廃棄物および産業廃棄物のような「大量の（ｍａｓｓ）」または固体燃料を利用するように設計された改良された固定燃焼システムに関するが、任意の種々のタイプの可燃性の、特定の材料は、本発明のシステムのための燃焼燃料として機能し得ることが理解される。用語「大量の（または塊状の）燃料」または「固体燃料」は、本明細書中で、表面に静止するか、または表面上を移動するか、または表面に沿って移動する間に、燃焼される任意の物体を意味することを意図する。１つの実施形態において、このシステムはまた、物体が、表面の上の実質的に離れた空気中に故意に浮遊される他のシステムから区別され得る。このシステムはまた、燃焼の前に、物体が断片化されること必要とする他のシステムから区別され得る。本発明が使用され得る大量の燃料適用としては、以下が挙げられるが、これらに限定されない：弾性製品、石炭、廃石炭、下水汚泥、バイオマス製品、都市の固体廃棄物、産業廃棄物、人に影響を及ぼす廃棄物（ｉｎｆｅｃｔｉｏｕｓ　ｗａｓｔｅ）、および肥料。
【０３３０】
　図面から理解されるように、本発明の基本的な概念は、異なる様式で具体化され得る。図１は、本発明の燃焼システムの１つの実施形態の部分的な断面かつ立面図を示す。示されるように、本発明の燃焼システムは、加熱炉または焼却炉（一般に、（１０）と表記される）に関し得、この加熱炉は、処分のための投入大量燃料を単に焼却するために、またはエネルギー源（例えば、熱気、熱水または蒸気）を発生させるために、使用され得る。この局面において、加熱炉の周囲ハウジングまたは壁（１２）は、加熱炉の意図される使用に従って、任意の適切な周知の様式で構成され得る。
【０３３１】
　特に、そして図１および２を参照して、本発明は、火格子システムまたはアセンブリ（１４）の設計および構成に関し、この火格子システムまたはアセンブリは、本発明の１つの実施形態において、燃焼プロセスの間に、大量の燃料または他の材料（１６）を受け取りそして処分するように機能する。「燃焼プロセス」または「燃焼システム」は、一般的に、燃料を受け取り、そしてその燃料を燃焼して、エネルギー放出を発生させ、そして燃焼材料（代表的に、灰の形態で）を生じる、方法および関連するデバイスを固有に含むシステムをいう。知られているように、燃焼プロセスの副生成物としては、燃焼されない材料および集塊化燃焼副生成物、または大量の燃料の燃焼によって発生したスラグ（その技術的または特有の意味で使用されようとなかろうと）が挙げられるが、これらに限定されない。好ましい実施形態において、燃焼プロセスは、火格子アセンブリ（１４）の表面上で、実質的に起こる。好ましくは、燃焼されていない大量の燃料および燃焼燃料の浮遊は最小化され、垂直ホッパーアセンブリ（１８）および供給エレメントまたは供給台（２０）のような大量の燃料の供給機構からの全ての供給された大量の燃料の完全かつ効率的な燃焼を維持する。
【０３３２】
　この火格子システムまたはアセンブリ（１４）は、開示された複数の実施形態において多くの利点を提供し得る。１つの重要な利点は、多くのタイプの微粒子、固形または半固形材料、すなわち、広範な範囲のパラメータ（特に燃焼特徴）を示す前述のような大量の燃料が、以下の種々の実施形態に記載される開示された燃焼システムの付帯特徴を与えられた火格子アセンブリ（１４）によって容易に収容される。従って、このシステム中に供給される大量の燃料の最適の燃焼量は、燃焼後または燃焼の間に、処分のために残存する最小の灰および集塊化燃焼副生成物を生じ得る。
【０３３３】
　加熱炉（１０）は、好適な実施形態において、一般に、上部燃焼チャンバー（２０）および下部燃焼チャンバー（２２）をさらに備え得、ここで、大量の燃料の燃焼が好適には生じ得る。補助バーナー（２４）がまた提供され、この燃焼システムのスタートアップおよびシャットダウンを補助し得る。燃焼気体、そして好適な実施形態では、燃焼空気が、燃焼気体プレナムインレット（２８）を経由して、少なくとも１つの燃焼気体供給またはプレナム（２６）に提供され得る。代替の実施形態では、燃焼気体供給（２６）が、代りに、または組み合わされて、燃焼した大量の燃料または灰のため、および燃焼した大量の燃料からの集塊化燃焼副生成物のためのふるいかすホッパとして供される。さらに、燃焼気体供給は、以下により詳細に記載されるように、温度または酸素含量のような燃焼パラメータを補助制御するためにプレナムインレット（３０）を経由してリサイクルされた排気気体または燃焼気体を受け入れるために代替的または組み合わせて供され得る。リサイルされた排気気体または燃焼気体はさらに、インレット（４２）を経由してこの燃焼システム中に導入され得る。好適な実施形態では、燃焼気体はまた、上部または底部燃焼気体供給を通じて導入され得る。これは、上部インレット（３２）を通じる上部供給実施形態として示される。
【０３３４】
　好適な実施形態によれば、気体は、種々のプレナム（２６）ならびにインレット（２８）（３２）および（４２）を経由して導入され、燃焼チャンバーへの燃焼後気体供給（ｆｅｅｄ）を提供し得る。燃焼後気体の導入は、種々の目的を供し得、制限されずに、燃焼チャンバーの温度調節ならびに火格子アセンブリおよび燃焼チャンバーからの灰および集塊化燃焼副生成物の低減を含む。燃焼後気体導入は、リサイクル燃焼気体システムを経由して実施され得、ここで、導入された燃焼後気体は、好ましくは燃焼された気体であり得る。さらに、プレナム（２６）は、燃焼プロセスの特定の要求に依存して、燃焼またはリサイクル気体以外の気体を導入するために供され得、そして、制限されずに、とりわけ、第２の燃焼気体、非燃焼性気体、および火格子冷却気体を含む、導入されるその他の気体を含み得る。
【０３３５】
　２次または均一攪拌気体供給（３４）は、好適な実施形態では、以下により詳細に記載されるように、大量の燃料の攪拌または混合のためのような、２次的または攪拌または混合気体供給源を提供し得る。この２次気体供給は、好適な実施形態において、大量の燃料供給エレメント（１８）および（２０）近傍の火格子アセンブリ（１４）のインレット端部から、燃焼した大量の燃料または排出シュート（３６）および燃焼した大量の燃料または灰コンベア（３８）近傍の火格子アセンブリのアウトレット端部への移動をさらに提供し得る。この２次気体は、火格子アセンブリ（１４）上に位置する材料を動かすかまたは持ち上げるために供され得る。さらに、そして好適な実施形態では、この２次または攪拌気体供給は、２次気体を供給し、火格子アセンブリ上に位置する材料を乾燥し得る。このようにして、火格子アセンブリ上に位置する大量の燃料は、混合または攪拌、乾燥され、そして火格子アセンブリに沿って移動され得る。この火格子システムへの２次または攪拌気体の導入および制御は、以下により詳細に記載する気体ポペット（ｐｏｐｐｅｔ）（４４）により提供され得る。
【０３３６】
　灰排出システム（３９）は、好ましくは、灰ローラ（４０）を備え、火格子アセンブリ（１４）のアウトレット端部に提供され得る。灰排出システム（３９）はまた、排出シュート（３６）および除去コンベア（３８）を備え得る。この灰ローラは、火格子上の材料の深さを制御するために供され得、そしてこの火格子システムからの材料の除去をさらに補助し得、これには、制限されないで、燃焼および燃焼されない大量の燃料、灰、および集塊化燃焼副生成物が含まれる。このように、灰ローラは、付加的または代替的に、この燃焼システムにおいて材料の所望または適切なレベル（特に大量の燃料のレベル）を確実にすめために供され得る。灰ローラ（４０）は、従って、火格子アセンブリ（１４）上の大量の燃料レベルまたはそれからの材料除去の制御を提供するために調節可能であり得る。図８に示されるように、灰ローラの実施形態は、灰ローラに隣接する回動プレート（４１）を備え、灰の除去を補助し、そして火格子アセンブリ上の大量の燃料のレベルをさらに制御し得る。コンベア（３８）は、とりわけ、灰排出シュートを通じて燃焼チャンバー中への所望されない空気の導入を防ぐ目的で、水で満たされ得る。さらに、そしていくつかの実施形態では、アクセスドア（４２）が、下部燃焼チャンバー（２２）への手動アクセスを提供し得る。ポート（４６）は、下部燃焼チャンバーへの肉眼によるアクセスをさらに提供し得る。
【０３３７】
　火格子システム（１４）は、図２から図５および図９から図１４に示されるように、さらなるおよび好適な実施形態で提供され得る。特に、図２は、火格子アセンブリおよび灰ローラ（４０）の平面図を提供する。この火格子アセンブリは、好適な実施形態で、複数の火格子エレメントまたはプレート（５０）からなり、各火格子プレートは、概して、幅方向に隣接する火格子プレートの隣接する幅エッジ（５２）に対して当接する位置にあり、そして長さ方向に隣接する火格子プレートに対して重複（ｏｖｅｒｌａｐｐｉｎｇ）関係にある。この論議では、用語「幅」および「長さ」が、火格子アセンブリ（１４）の寸法に対して方向を規定し得ることを理解することが助けとなり得る。特に、図２、５および１３の示された実施形態では、火格子プレートは、アセンブリの長さ方向または方向（５４）にある隣接する火格子プレートに重複する。火格子プレートの当接は、方向（５６）に沿って生じ得る。各火格子プレートは、図５および１３に示されるように実質的に平坦な表面（５８）を形成し得、そしてそれ故、火格子システムまたはアセンブリ（１４）は、これらの火格子プレートが連結されるとき、実質的に妨害されない平坦表面（６０）を有し得る。ゲートアセンブリおよびプレートの実質的に平坦な特徴は、大量の燃料に対する妨害を最小にすることによって大量の燃料の燃焼および移動を改善し得る。
【０３３８】
　特に、そして図５および図１３に示されるように、火格子エレメントまたはプレート（５０）は、重複（６２）が隣接するプレート間に存在し得るように相互連絡する。プレート間のこの相互連絡はまた、重複するセグメントが連結されるとき、インターロックシステム（６６）が提供されるように、重複セグメント（６４）によって作製され得る。好ましくは、各火格子プレートは、一体型タブ（６８）を備え、隣接するプレートをインターロックまたは連結すること、および概して冷却することを補助し得る。このインターロックシステムは、火格子アセンブリの平坦表面（６０）を維持または保持するための役に立ち、そしてそれによって火格子プレートの実質的に平坦でない動きを防ぐ。好適な実施形態によれば、この火格子エレメント（５０）は、火格子アセンブリおよび火格子プレートに対して構造的剛直性を提供するために供され得て、そして火格子アセンブリを冷却する手段を提供し得る、一体型リブまたはサポート（７０）をさらに備え得る。重複スペーサーまたはスペーサーエレメント（７２）が、この火格子プレートに一体化されて提供され、隣接する火格子プレートの重複するセグメント（６４）間に空間を確保し得る。
【０３３９】
　空間は、それ故、重複するセグメントの間に作製され得、従って、火格子プレートの重複するセクションを通じる気体流れを可能にする。重複する火格子プレートの空間に導入された気体は、元来、インレット（２８）を経由する、燃焼気体供給またはプレナム（２６）から導入された燃焼気体であり得る。その他の気体が、火格子プレート間の空間またはギャップを通じて導入され得、制限されないで、好ましくはインレット３０を通じてリサイクルされる燃焼気体のような火格子冷却気体を含む。各プレナムのインレット（２８）および（３０）は、その他の燃焼気体供給またはプレナムに対して独立様式で制御され得、複数のプレナムが、図１の好適な実施形態において示されている。好ましくは、燃焼またはリサイクルされた燃焼気体の制御は、自動制御バルブ、ポペット、ダンパーまたは経時的に流れまたは速度を変化させ得るその他の適切な手段により自動的に制御され得る。
【０３４０】
　１つの実施形態では、燃焼気体、混合気体、２次気体、２つの気体、またはさらにリサイクル燃焼気体の導入は、個々のインレット（２８）および（３０）にともなう自動制御バルブまたはポペットを経由して、プレナム（２６）のようなプレナムを通じてパルス化された様式でなされ得る。従って、図１に示されるように、火格子アセンブリ（１４）に沿って配置された複数の燃焼気体供給またはプレナム（２６）があれば、火格子アセンブリのゾーンまたはセクションは、制限されないで、例えば燃焼のためまたは火格子冷却のために独立に制御され得る。
【０３４１】
　１つの実施形態に従って、そして図６、９、１０および１４に示されるように、各火格子プレート（５０）は、火格子の頂部表面またはその上の材料に２次、混合、または攪拌気体を導入するためのインレット、ノズル、またはアパーチャ（７４）を備え得る。より詳細には、そして好適な実施形態によれば、２次、混合、または攪拌気体は、プレナム（７６）のような２次気体供給またはプレナムを通じて導入され得る。プレナム（７６）は、燃焼気体供給またはプレナム（２６）と、同じタイプの気体を提供するような流体連結であり得る。あるいは、２次気体供給は、別個の気体供給を提供し得る。さらに、そして１つの実施形態によれば、２次または攪拌気体は、２次気体供給またはプレナム（７６）から、複数の導入エレメントまたは好ましくはポペット（４４）を経由して２次または攪拌気体ヘッダー（７８）に導入され得る。気体ヘッダー（７８）は、ボルトおよびボルトホール（７９）を介して火格子プレート（５０）の下側に取り付けられ得る。好ましくは、個々のポペットは、ヘッダー供給チューブ（８０）または気体ハウジング（９３）を閉鎖するために作動され得る。各ポペット（４４）は、その他のポペット（図１の好適な実施形態で示される複数のポペット）に対して独立様式で制御され得る。
【０３４２】
　図６に示されるように、各ポペット（４４）はまた、開放端（９４）を有する気体ハウジング（９３）を備え得る。この気体ハウジング（９３）の開放端（９４）で作動するのは、制御可能なキャップ（９５）であり得、気体ハウジング（９３）の端部を移動および開放することにより気体パルスを生じさせる。示されるように、制御可能なキャップ（９５）の操作は、機械的、電気的、またはその他いずれかの特定のタイプの連結により外部からなされ得る。ポペット（４４）をシールすることを補助するため、容易に認識され得るように、それはまた、制御可能なキャップ（９５）または気体ハウジング（９３）いずれかの上にシール（９６）を備え得る。このシール（９６）はまた、ポペット（４４）の位置における可能なきびしい環境に耐えるためにエラストマーまたはなおＶｉｔｏｎＴＭのような適切な材料から作製され得る。好ましくは、２次、混合、またはなお攪拌気体の制御は、ポペットにより自動的に制御され得、ここで、特定の火格子（５０）のアパーチャ（７４）のゾーンまたはセクションからの２次または攪拌気体流れまたは速度は、好ましくは、適正な燃焼のための必要に応じて変動し得る。
【０３４３】
　さらに、２次または攪拌気体の導入は、好ましくは個々の気体ヘッダー（７８）をともなうポペット（４４）の自動制御により、パルス化された様式でプレナム（２６）を通じてなされ得る。パルス化された気体は、最も効率的な攪拌およびその他の２次気体機能を提供し得、これには、制限されずに、火格子アセンブリおよびその上の材料の輸送、冷却および乾燥が含まれる。気体ヘッダー（７８）は、アパーチャ（７４）のセットへの一貫した、かつ制御された気体の流れを確実にする。図１２および１４は好適な実施形態を示し、ここでは、１つのヘッダーが単一のポペット（４４）と流体連結し得る。しかし、単一または複数のポペットにともなう複数の気体ヘッダー（７８）を提供し、特定の火格子（５０）のアパーチャ（７４）のセットまたはゾーンまたはセクションに気体流れを提供することは、本発明の範囲内に十分ある。従って、好適な実施形態によれば、火格子のゾーンまたはセクションは、自動制御された２次または攪拌気体を提供され得る。従って、そして図１に示されるような火格子アセンブリ（１４）に沿って配置された好適な複数のポペット（４４）が与えられれば、火格子アセンブリのゾーンまたはセクションは、制限されずに例えば燃焼のためまたは火格子冷却のために独立に制御され得る。
【０３４４】
　１つの実施形態によれば、２次気体のパルス化された導入は、燃焼気体供給または燃焼気体供給またはプレナム（２６）から導入された任意の気体とは独立であり得る。パルス化された導入を含む燃焼気体の導入は、２次または攪拌気体プレナム（７６）およびポペット（４４）とは同様に独立であり得る。従って、気体導入のための複数のパルス化システム、およびこのパルス化システムの複数の制御が、本発明の燃焼システム内で機能し得る。
【０３４５】
　別の実施形態によれば、この燃焼システムまたは加熱炉は、図１に概して示されるような振動システム（９０）を備え得る。この振動システム（９０）はまた、火格子アセンブリ（１４）上に存在する、灰および集塊化燃焼副生成物またはスラグさえの攪拌を提供するため、そして火格子アセンブリに沿って材料の輸送をさらに補助するために供され得る。さらに、火格子アセンブリ上の大量の燃料の振動は、攪拌により、燃焼への燃料のさらなる暴露をさらに提供し得る。
【０３４６】
　振動システム（９０）は、代表的な振動（ｏｓｃｉｌｌａｔｉｏｎ）または振動（ｖｉｂｒａｔｉｏｎ）デバイスの形態のような、単一または複数の振動エレメントから構成され得る。この振動エレメントは、火格子アセンブリ（１４）に直接連結され得るか、または振動相互連絡エレメントを経由して火格子アセンブリに作動可能に連結され得る。１つの実施形態によれば、この振動エレメント（単数または複数）（９２）は、図９に示されるように、振動相互連絡ロッド（９４）を経由して火格子エレメントまたはプレート（５０）のゾーンまたは部分に連結され得、リブ（７０）を通る単一または複数いずれかの火格子プレート（５０）の幅を走る。従って、複数のセクションまたはゾーンが、火格子アセンブリに沿って、集塊化燃焼副生成物を除去するため、そして灰および集塊化燃焼副生成物を輸送するためなどに振動され得る。火格子アセンブリ（１４）の各ゾーンもしくは部分、または複数の火格子プレートもしくはエレメントの各ゾーンもしくは部分もしくは各火格子プレート（５０）は、振動エレメント（９２）を経由して独立に振動され得る。あるいは、１つの振動エレメント（９２）は、全体の火格子アセンブリ（１４）または火格子アセンブリ（１４）の個々のゾーンもしくは部分または個々のゾーンもしくは部分または個々の火格子アセンブリ（５０）のいずれかを振動し得る。複数の振動エレメントを採用する１つの実施形態では、この振動システム（９０）は、各振動エレメント（９２）のため、そしてまた火格子アセンブリもしくは火格子プレートの各ゾーンもしくは部分のための振動の制御、または各個々の火格子プレートの独立制御を提供し得る。従って、火格子アセンブリもしくは複数の火格子プレートの個々のエレメント、プレート、ゾーンまたは部分は、振動システムの振動の動きに独立して振動して応答し得る。
【０３４７】
　さらに、本発明の目的は、燃焼システムの最適燃焼制御を提供することであり得る。従って、燃焼制御システム（１００）は、燃焼システムの種々の稼動パラメータをモニターおよび制御するために提供され得る。温度センサーは、燃焼チャンバー内の温度をモニターするために提供され得る。制御システム（１００）は、単一または複数の温度センサーに個々に応答性であり得、そして火格子アセンブリに対して、燃焼チャンバーの特定のゾーンまたは部分内のシステムの稼動パラメータを調節し得る。１つの実施形態では、第１の温度センサーまたはセンサ類が燃焼温度をモニターし得、その一方、第２の温度センサーまたはセンサ類が燃焼チャンバー（２０）および（２２）内の燃焼後温度モニターし得る。
【０３４８】
　燃焼制御システム（１００）のさらなる実施形態は、燃焼システムの燃焼パラメータを調整し、スループットおよび燃焼効率を最適化し得る。これらパラメータの各々は、当業者によって容易に理解されるように制御され得る。燃焼パラメータの調整は、例えば、制限されないで、項に提示されるようなもの、および：大量燃料供給エレメント（１８）および（２０）；プレナム（２６）およびインレット（２８）および（３２）を経由する燃焼気体供給；供給（３４）、プレナム（７６）およびポペット（３４）を経由する２次または攪拌気体供給；ならびにインレット（３０）および（４２）を経由する燃焼後またはリサイクル燃焼気体供給（制限されないで冷却または灰および集塊化燃焼副生成物低減システムとして供することなど）；ならびにこのような記載のシステムの任意の組み合わせまたは錯列のような、種々の燃焼システムサブ要素の制御を提供し得る。燃焼チャンバー内のモニターされる燃焼パラメータは、制限されないで：酸素含量、燃焼気体酸素含量、一酸化炭素含量、燃焼気体一酸化炭素含量、温度、燃焼温度、燃焼後温度、燃料供給速度と燃焼気体供給速度との間の関係、燃料移動速度、燃料ベッド深さおよびこのようなパラメータの任意の組み合わせまたは錯列を含み得る。これらのパラメータは、プログラミングまたは容易に理解され得るようにその他の自動化により自動的に制御され得る。
【０３４９】
　全体の燃焼プロセスを制御する部分として、このシステムに大量の燃料を導入することで、燃料自身とともに導入される空気の量を限定または制限することが所望され得る。従って、低部空気燃料供給が提供され、その結果、燃料とともに導入される空気の量は、代表的なしばしば開放空気供給装置が稼動され得る場合に導入され得るような代表的な量ではない。これは、開放空気暴露を制限するドアなどを提供することにより達成され得る。
【０３５０】
　同様に、任意の位置に配置されるが、燃焼が生じた後に位置される場合最も効果的な第３の気体供給が提供され得る。この第３の気体供給を用いて、温度を独立に制御し得る。それは、リサイクルまたはなお燃焼気体を用いるために構成され得、そして火格子システム（１４）の上または下のいずれかであるように供給され得る。この温度制御気体は、勿論、冷却気体として供され得る。
【０３５１】
　前述の論議および上記の特許請求の範囲は、本発明のいくつかの実施形態のみを記載する。特に特許請求の範囲に関しては、本発明の構成要件から逸脱することなく多くの改変がなされ得ることが理解されるべきである。この観点から、このような改変（それらが実質的に同じ方法で同じ結果を実質的に達成する程度まで）は、本発明の範囲内になお入ることが意図される。
【０３５２】
　前述したように、この発明は種々の方法で具現化され得る。さらに、本発明および特許請求の範囲の種々の構成要素の各々はまた、種々の様式で達成され得る。本開示は、それが、任意の装置の実施形態、方法またはプロセス実施形態、または単になおこれらの任意の構成要素の改変であれ、各々のこのような改変を包含することを理解すべきである。特に、本発明の構成要素に関係する開示として、各構成要素に対する語が、（たとえ機能または結果のみが同一であるとしても）等価な装置用語または方法用語によって表現され得ることを理解すべきである。このような等価な、より広い、またはより一般的な用語でさえ、各構成要素または作用の記載に包含されると考えられるべきである。このような用語は、本発明が権利を与えられる暗に広い範囲を明確にすることが所望される場合には置換され得る。１つの例として、すべての作用は、その作用をとるための手段として、またはその作用を起こす構成要素として表現され得ることを理解すべきである。同様に、開示された各物理的構成要素は、その物理的構成要素が容易にする作用の開示を包含することを理解すべきである。この最後の局面に関し、例示として、「供給（ｆｅｅｄ）」の開示は、「供給すること」の作用の開示を包含すること（明示的に論議されているか否かによらず）を理解すべきであり、逆に「供給すること」の作用の開示のみがある場合、このような開示は、「供給」または「供給するための手段」でさえ開示することを包含すると理解すべきである。このような改変および代替の用語が、本記載に明示的に含まれることを理解すべきである。
【０３５３】
　本発明の目的および目的物ならびに本発明の開示と概ね一致して達成され得、そして別にまたは集合的にこのような局面を含み得る、本発明の全ての可能な実施形態を特許請求の範囲に記載することは単に実際的ではない。記述されるかまたは特許請求の範囲に記載の全ての構成要素は、組み合わせられ得、そして任意の順序または組み合わせで特許請求の範囲に記載され得る。さらに、構成要素がこのような詳細を明示的に含むために付加され得る一方、現存する特許請求の範囲がこのような局面を包含すると解釈されるべきである。本発明において特許請求の範囲に記載された方法は、さらに論議されない範囲まで、それらはシステムまたは装置の項の自然な派生物である。さらに、工程は、より論理的な様式で組織化され；しかし、その他の順列もまた可能でありそしてなし得る。従って、方法の項は、提示された順列および工程の順序のみを含むと解釈されるべきではない。
【０３５４】
　最後に、本特許のために本出願で言及された任意の参考文献、および本出願または優先権出願とともに当初提出された任意の情報の開示に列挙されたすべての参考文献は、参考として本明細書に援用される。しかし、陳述が、本発明（単数または複数）の特許化と一致しないと考えられ得る範囲まで、このような陳述は、本出願人によりなされたと明示的に考慮されるべきではない。さらに、文脈がそうではないとしなければ、語句「含む」または「包含する」もしくは「包含」のような改変語句は、述べられた構成要素もしくは工程、または構成要素もしくは工程の群を含むが、任意のその他の構成要素もしくは工程、または構成要素もしくは工程の群を排除しないことを意味することを理解すべきである。
【図面の簡単な説明】
【０３５５】
【図１】図１は、燃焼システムを示す、本発明の１つの実施形態の部分的な断面かつ立面図である。
【図２】図２は、火格子アセンブリの１つの実施形態の平面図である。
【図３】図３は、図２に示される火格子アセンブリ要素の実施形態の側面図である。
【図４】図４は、灰ローラーの１つの実施形態を特徴付ける、図２に示される火格子アセンブリの実施形態の端面図である。
【図５】図５は、火格子アセンブリの１つの実施形態の断面図であり、特に、図２の実施形態のＣ−Ｃ’の透視図から見た場合の、２つの相互連絡した火格子板および付随したヘッダー管を特徴付ける。
【図６】図６は、ポペットアセンブリ、供給プレナムおよびヘッダー管の１つの実施形態の断面図である。
【図７】図７は、図２の実施形態の断面Ａ−Ａ’の透視図から見た場合の、灰ローラーの１つの実施形態の断面図である。
【図８】図８は、図２の実施形態の断面Ｂ−Ｂ’の透視図から見た場合の、灰ローラーの１つの実施形態の第二の断面図である。
【図９】図９は、１つの火格子板ならびに支持リブ、ヘッダー連結および攪拌気体開口部の１つの実施形態の平面図である。
【図１０】図１０は、断面Ｓ−Ｓ’の透視図から見た場合の、図９に示される火格子板、支持リブ、ヘッダー連結および攪拌気体開口部の実施形態の断面図である。
【図１１】図１１は、断面Ｐ−Ｐ’の透視図から見た場合の、図９に示される火格子板および支持リブの実施形態の断面図である。
【図１２】図１２は、火格子板ヘッダーアセンブリおよび付随する供給プレナムの１つの実施形態の平面図である。
【図１３】図１３は、火格子アセンブリ要素の１つの実施形態の断面図であり、特に、図２の実施形態の断面Ｄ−Ｄ’の透視図から見た場合の、複数の相互連絡した火格子板および付随したヘッダー管を特徴付ける。
【図１４】図１４は、本発明の１つの実施形態の部分的に開いた、火格子アセンブリを線で示した斜視図である。
【符号の説明】
【０３５６】
　１０　加熱炉または焼却炉
　１４　火格子システムまたはアセンブリ
　２０　上部燃焼チャンバー
　２２　下部燃焼チャンバー
　２６　燃焼気体供給またはプレナム
　３９　灰排出システム
　９０　振動システム
　９２　振動エレメント
　１００　燃焼制御システム
【図１】
2004093113.tif 000003
【図２】
2004093113.tif 000004
【図３】
2004093113.tif 000005
【図４】
2004093113.tif 000006
【図５】
2004093113.tif 000007
【図６】
2004093113.tif 000008
【図７】
2004093113.tif 000009
【図８】
2004093113.tif 000010
【図９】
2004093113.tif 000011
【図１０】
2004093113.tif 000012
【図１１】
2004093113.tif 000013
【図１２】
2004093113.tif 000014
【図１３】
2004093113.tif 000015
【図１４】
2004093113.tif 000016